(57)【特許請求の範囲】
【請求項１】
基材上に発光画像を有する発光媒体において、
前記発光画像は、
第１蛍光体を含む第１領域と、
第２蛍光体を含む第２領域と、
前記第１領域の前記第１蛍光体および前記第２領域の前記第２蛍光体上に形成され、前記第１領域と前記第２領域との間の厚みや表面の粗さの違いを打ち消すように構成された保護層と、を有し、
前記第２領域の少なくとも一部は、前記第１領域に隣接しており、
第１波長領域内の不可視光を照射されたとき、前記第１蛍光体および前記第２蛍光体は、互いに同色として視認される色の光を発光し、
第２波長領域内の不可視光を照射されたとき、前記第１蛍光体および前記第２蛍光体は、互いに異色として視認される色の光を発光し、
第１波長領域内の不可視光が照射されたとき、前記第１蛍光体は、第１色の光を発光し、前記第２蛍光体は、第１色または第１色と同色として視認される色の光を発光し、
第２波長領域内の不可視光が照射されたとき、前記第１蛍光体は、第２色の光を発光し、前記第２蛍光体は、第３色の光を発光し、または、光を発光せず、前記第１領域および前記第２領域が、互いに異色の領域として視認される
ことを特徴とする発光媒体。
【請求項２】
基材上に発光画像を有する発光媒体において、
前記発光画像は、
第１蛍光体を含む第１領域と、
第２蛍光体を含む第２領域と、
前記第１領域の前記第１蛍光体および前記第２領域の前記第２蛍光体上に形成され、前記第１領域と前記第２領域との間の厚みや表面の粗さの違いを打ち消すように構成された保護層と、を有し、
前記第２領域の少なくとも一部は、前記第１領域に隣接しており、
第１波長領域内の不可視光を照射されたとき、前記第１蛍光体および前記第２蛍光体は、互いに同色として視認される色の光を発光し、
第２波長領域内の不可視光を照射されたとき、前記第１蛍光体および前記第２蛍光体は、互いに異色として視認される色の光を発光し、
第１波長領域内の不可視光が照射されたとき、前記第１蛍光体は、第１色の光を発光し、前記第２蛍光体は、第１色または第１色と同色として視認される色の光を発光し、
第２波長領域内の不可視光が照射されたとき、前記第１蛍光体は、第１色または第１色と同色として視認される色の光を発光し、前記第２蛍光体は、第３色の光を発光し、または、光を発光せず、前記第１領域および前記第２領域が、互いに異色の領域として視認される
ことを特徴とする発光媒体。
【請求項３】
基材上に発光画像を有する発光媒体において、
前記発光画像は、
第１蛍光体を含む第１領域と、
第２蛍光体を含む第２領域と、
前記第１領域の前記第１蛍光体および前記第２領域の前記第２蛍光体上に形成された保護層と、を有し、
前記第２領域の少なくとも一部は、前記第１領域に隣接しており、
第１波長領域内の不可視光が照射されたとき、または第２波長領域内の不可視光が照射されたときに、前記第１蛍光体および前記第２蛍光体は、互いに同色として視認される色の光を発光し、
第１波長領域内の不可視光と第２波長領域内の不可視光とが同時に照射されたとき、前記第１蛍光体および前記第２蛍光体は、互いに異色として視認される色の光を発光する
ことを特徴とする発光媒体。
【請求項４】
基材上に発光画像を有する発光媒体において、
前記発光画像は、
第１蛍光体を含む第１領域と、
第２蛍光体を含む第２領域と、
前記第１領域の前記第１蛍光体および前記第２領域の前記第２蛍光体上に形成された保護層と、を有し、
前記第２領域の少なくとも一部は、前記第１領域に隣接しており、
第１波長領域内の不可視光が照射されたとき、前記第１蛍光体および前記第２蛍光体は、互いに異色として視認される色の光を発光し、
第２波長領域内の不可視光が照射されたとき、前記第１蛍光体および前記第２蛍光体は、互いに異色として視認されるとともに、第１波長領域内の不可視光が照射されたときに視認される色とは異色の光を発光し、
第１波長領域内の不可視光と第２波長領域内の不可視光とが同時に照射されたとき、前記第１蛍光体および前記第２蛍光体は、互いに同色として視認される色の光を発光する
ことを特徴とする発光媒体。
【請求項５】
前記保護層は、第１波長領域内の不可視光と、第２波長領域内の不可視光と、を透過する材料からなる
ことを特徴とする請求項１乃至請求項４のいずれかに記載の発光媒体。
【請求項６】
前記保護層はアクリル系樹脂を含む
ことを特徴とする請求項１乃至請求項５のいずれかに記載の発光媒体。
【請求項７】
前記保護層はポリメチルメタクリレートからなる
ことを特徴とする請求項６に記載の発光媒体。
【請求項８】
基材上に発光画像を有する発光媒体において、
前記発光画像は、
第１蛍光体を含む複数の第１絵柄要素と、
第２蛍光体を含む複数の第２絵柄要素と、
基材、前記第１絵柄要素および前記第２絵柄要素上に形成され、前記第１絵柄要素と前記第２絵柄要素との間の厚みや表面の粗さの違いを打ち消すように構成された保護層と、を有し、
前記第１絵柄要素と前記第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光を照射されたとき、前記第１蛍光体および前記第２蛍光体は、互いに同色として視認される色の光を発光し、
第２波長領域内の不可視光を照射されたとき、前記第１蛍光体および前記第２蛍光体は、互いに異色として視認される色の光を発光し、これにより前記マイクロ文字列上の前記潜像を発現させ、
第１波長領域内の不可視光を照射されたとき、前記第１蛍光体は、第１色の光を発光し、前記第２蛍光体は、第１色または第１色と同色として視認される色の光を発光し、
第２波長領域内の不可視光を照射されたとき、前記第１蛍光体は、第２色の光を発光し、前記第２蛍光体は、第３色の光を発光し、または、光を発光せず、前記第１蛍光体および前記第２蛍光体が、互いに異色として視認される色の光を発光し、これにより前記マイクロ文字列上の前記潜像を発現させる
ことを特徴とする発光媒体。
【請求項９】
基材上に発光画像を有する発光媒体において、
前記発光画像は、
第１蛍光体を含む複数の第１絵柄要素と、
第２蛍光体を含む複数の第２絵柄要素と、
基材、前記第１絵柄要素および前記第２絵柄要素上に形成され、前記第１絵柄要素と前記第２絵柄要素との間の厚みや表面の粗さの違いを打ち消すように構成された保護層と、を有し、
前記第１絵柄要素と前記第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光を照射されたとき、前記第１蛍光体および前記第２蛍光体は、互いに同色として視認される色の光を発光し、
第２波長領域内の不可視光を照射されたとき、前記第１蛍光体および前記第２蛍光体は、互いに異色として視認される色の光を発光し、これにより前記マイクロ文字列上の前記潜像を発現させ、
第１波長領域内の不可視光を照射されたとき、前記第１蛍光体は、第１色の光を発光し、前記第２蛍光体は、第１色または第１色と同色として視認される色の光を発光し、
第２波長領域内の不可視光を照射されたとき、前記第１蛍光体は、第１色または第１色と同色として視認される色の光を発光し、前記第２蛍光体は、第３色の光を発光し、または、光を発光せず、前記第１蛍光体および前記第２蛍光体が、互いに異色として視認される色の光を発光し、これにより前記マイクロ文字列上の前記潜像を発現させる
ことを特徴とする発光媒体。
【請求項１０】
基材上に発光画像を有する発光媒体において、
前記発光画像は、
第１蛍光体を含む複数の第１絵柄要素と、
第２蛍光体を含む複数の第２絵柄要素と、を有し、
基材、前記第１絵柄要素および前記第２絵柄要素上に形成された保護層と、を有し、
前記第１絵柄要素と前記第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光が照射されたとき、または第２波長領域内の不可視光が照射されたときに、前記第１蛍光体および前記第２蛍光体は、互いに同色として視認される色の光を発光し、
第１波長領域内の不可視光と第２波長領域内の不可視光とが同時に照射されたとき、前記第１蛍光体および前記第２蛍光体は、互いに異色として視認される色の光を発光し、これにより前記マイクロ文字列上の前記潜像を発現させる
ことを特徴とする発光媒体。
【請求項１１】
基材上に発光画像を有する発光媒体において、
前記発光画像は、
第１蛍光体を含む複数の第１絵柄要素と、
第２蛍光体を含む複数の第２絵柄要素と、を有し、
基材、前記第１絵柄要素および前記第２絵柄要素上に形成された保護層と、を有し、
前記第１絵柄要素と前記第２絵柄要素は、複数のマイクロ文字を形成し、
前記複数のマイクロ文字は、マイクロ文字列を形成すると共に、前記第１絵柄要素は前記マイクロ文字列上の潜像を形成し、
第１波長領域内の不可視光が照射されたとき、前記第１蛍光体および前記第２蛍光体は、互いに異色として視認される色の光を発光し、これにより前記マイクロ文字列上の前記潜像を発現し、
第２波長領域内の不可視光が照射されたとき、前記第１蛍光体および前記第２蛍光体は、互いに異色として視認されるとともに、第１波長領域内の不可視光が照射されたときに視認される色とは異色の光を発光し、これにより前記マイクロ文字列上の前記潜像を発現し、
第１波長領域内の不可視光と第２波長領域内の不可視光とが同時に照射されたとき、前記第１蛍光体および前記第２蛍光体は、互いに同色として視認される色の光を発光する
ことを特徴とする発光媒体。
【請求項１２】
前記保護層は、第１波長領域内の不可視光と、第２波長領域内の不可視光と、を透過する材料からなる
ことを特徴とする請求項８乃至請求項１１のいずれかに記載の発光媒体。
【請求項１３】
前記保護層はアクリル系樹脂を含む
ことを特徴とする請求項８乃至請求項１２のいずれかに記載の発光媒体。
【請求項１４】
前記保護層はポリメチルメタクリレートからなる
ことを特徴とする請求項１３に記載の発光媒体。
【発明の詳細な説明】
【技術分野】
【０００１】
本発明は、特定の波長領域内の不可視光が照射されたときに現れる発光画像を有する発光媒体に関する。
【背景技術】
【０００２】
金券やプリペイドカードを含む有価証券や、免許証を含む身分証明書など、偽造を防止することが必要とされる媒体において、セキュリティ性を高めるため、近年、マイクロ文字、コピー牽制パターン、赤外線吸収インキまたは蛍光インキなどが利用されている。このうち蛍光インキとは、可視光下ではほとんど視認されず、不可視光（紫外線または赤外線）が照射されたときに視認される蛍光体を含むインキである。このような蛍光インキを用いることにより、有価証券などに、特定の波長領域内の不可視光が照射されたときにのみ現れる蛍光画像（発光画像）を形成することができる。これによって、有価証券が汎用のカラープリンターなどにより容易に偽造されるのを防ぐことができる。
【０００３】
また、偽造防止効果をさらに高めるため、蛍光インキを用いて、肉眼によっては視認されない発光画像を有価証券に形成することが提案されている。例えば特許文献１において、第１蛍光インキと第２蛍光インキとを用いて形成された発光画像を有する媒体が開示されている。この場合、第１蛍光インキおよび第２蛍光インキは、肉眼で見たときは、可視光下および紫外線下で互いに同一の色として視認され、かつ、判別具を介して見たときは、互いに異なる色として視認されるインキとなっている。このため、有価証券に形成された発光画像が容易に偽造されることはなく、このことにより、蛍光インキによる偽造防止効果が高められている。しかし、発光画像における第１蛍光インキと第２蛍光インキとの間に微小な色差又は厚みの差が存在していると、肉眼で見たときに第１蛍光インキおよび第２蛍光インキが同一の色として視認されず、発光画像が視認される場合があった。
【先行技術文献】
【特許文献】
【０００４】
【特許文献１】特許第４４１８８８１号公報
【発明の概要】
【発明が解決しようとする課題】
【０００５】
有価証券が偽造されたものかどうかを判別するための手順は、簡易かつ迅速に実施されることが好ましい。また、有価証券は偽造が困難であることが好ましい。従って、判別具などの道具を用いることなく、肉眼によって、有価証券が偽造されたものかどうかを簡易かつ迅速に判別することができ、且つ、偽造され難い媒体が求められている。
【０００６】
本発明は、このような課題を効果的に解決し得る発光媒体を提供することを目的とする。
【課題を解決するための手段】
【０００７】
本発明は、基材上に発光画像を有する発光媒体において、前記発光画像は、第１蛍光体を含む第１領域と、第２蛍光体を含む第２領域と、前記第１領域の前記第１蛍光体および前記第２領域の前記第２蛍光体上に形成された保護層と、を有し、前記第２領域の少なくとも一部は、前記第１領域に隣接しており、第１波長領域内の不可視光を照射されたとき、前記第１蛍光体および前記第２蛍光体は、互いに同色として視認される色の光を発光し、第２波長領域内の不可視光を照射されたとき、前記第１蛍光体および前記第２蛍光体は、互いに異色として視認される色の光を発光することを特徴とする発光媒体である。
【０００８】
本発明は、基材上に発光画像を有する発光媒体において、前記発光画像は、第１蛍光体を含む第１領域と、第２蛍光体を含む第２領域と、前記第１領域の前記第１蛍光体および前記第２領域の前記第２蛍光体上に形成された保護層と、を有し、前記第２領域の少なくとも一部は、前記第１領域に隣接しており、第１波長領域内の不可視光が照射されたとき、または第２波長領域内の不可視光が照射されたときに、前記第１蛍光体および前記第２蛍光体は、互いに同色として視認される色の光を発光し、第１波長領域内の不可視光と第２波長領域内の不可視光とが同時に照射されたとき、前記第１蛍光体および前記第２蛍光体は、互いに異色として視認される色の光を発光することを特徴とする発光媒体である。
【０００９】
本発明は、基材上に発光画像を有する発光媒体において、前記発光画像は、第１蛍光体を含む第１領域と、第２蛍光体を含む第２領域と、前記第１領域の前記第１蛍光体および前記第２領域の前記第２蛍光体上に形成された保護層と、を有し、前記第２領域の少なくとも一部は、前記第１領域に隣接しており、第１波長領域内の不可視光が照射されたとき、前記第１蛍光体および前記第２蛍光体は、互いに異色として視認される色の光を発光し、第２波長領域内の不可視光が照射されたとき、前記第１蛍光体および前記第２蛍光体は、互いに異色として視認されるとともに、第１波長領域内の不可視光が照射されたときに視認される色とは異色の光を発光し、第１波長領域内の不可視光と第２波長領域内の不可視光とが同時に照射されたとき、前記第１蛍光体および前記第２蛍光体は、互いに同色として視認される色の光を発光することを特徴とする発光媒体である。
【００１０】
本発明による発光媒体において、前記保護層は、第１波長領域内の不可視光と、第２波長領域内の不可視光と、を透過する材料からなっていてもよい。
【００１１】
本発明による発光媒体において、前記保護層はアクリル系樹脂を含んでもよい。
【００１２】
本発明による発光媒体において、前記保護層はポリメチルメタクリレートからなっていてもよい。
【００１３】
本発明は、基材上に発光画像を有する発光媒体において、前記発光画像は、第１蛍光体を含む複数の第１絵柄要素と、第２蛍光体を含む複数の第２絵柄要素と、基材、前記第１絵柄要素および前記第２絵柄要素上に形成された保護層と、を有し、前記第１絵柄要素と前記第２絵柄要素は、複数のマイクロ文字を形成し、前記複数のマイクロ文字は、マイクロ文字列を形成すると共に、前記第１絵柄要素は前記マイクロ文字列上の潜像を形成し、第１波長領域内の不可視光を照射されたとき、前記第１蛍光体および前記第２蛍光体は、互いに同色として視認される色の光を発光し、第２波長領域内の不可視光を照射されたとき、前記第１蛍光体および前記第２蛍光体は、互いに異色として視認される色の光を発光し、これにより前記マイクロ文字列上の前記潜像を発現させることを特徴とする発光媒体である。
【００１４】
本発明は、基材上に発光画像を有する発光媒体において、前記発光画像は、第１蛍光体を含む複数の第１絵柄要素と、第２蛍光体を含む複数の第２絵柄要素と、を有し、基材、前記第１絵柄要素および前記第２絵柄要素上に形成された保護層と、を有し、前記第１絵柄要素と前記第２絵柄要素は、複数のマイクロ文字を形成し、前記複数のマイクロ文字は、マイクロ文字列を形成すると共に、前記第１絵柄要素は前記マイクロ文字列上の潜像を形成し、第１波長領域内の不可視光が照射されたとき、または第２波長領域内の不可視光が照射されたときに、前記第１蛍光体および前記第２蛍光体は、互いに同色として視認される色の光を発光し、第１波長領域内の不可視光と第２波長領域内の不可視光とが同時に照射されたとき、前記第１蛍光体および前記第２蛍光体は、互いに異色として視認される色の光を発光し、これにより前記マイクロ文字列上の前記潜像を発現させることを特徴とする発光媒体である。
【００１５】
本発明は、基材上に発光画像を有する発光媒体において、前記発光画像は、第１蛍光体を含む複数の第１絵柄要素と、第２蛍光体を含む複数の第２絵柄要素と、を有し、基材、前記第１絵柄要素および前記第２絵柄要素上に形成された保護層と、を有し、前記第１絵柄要素と前記第２絵柄要素は、複数のマイクロ文字を形成し、前記複数のマイクロ文字は、マイクロ文字列を形成すると共に、前記第１絵柄要素は前記マイクロ文字列上の潜像を形成し、第１波長領域内の不可視光が照射されたとき、前記第１蛍光体および前記第２蛍光体は、互いに異色として視認される色の光を発光し、これにより前記マイクロ文字列上の前記潜像を発現し、第２波長領域内の不可視光が照射されたとき、前記第１蛍光体および前記第２蛍光体は、互いに異色として視認されるとともに、第１波長領域内の不可視光が照射されたときに視認される色とは異色の光を発光し、これにより前記マイクロ文字列上の前記潜像を発現し、第１波長領域内の不可視光と第２波長領域内の不可視光とが同時に照射されたとき、前記第１蛍光体および前記第２蛍光体は、互いに同色として視認される色の光を発光することを特徴とする発光媒体である。
【００１６】
本発明による発光媒体において、前記保護層は、第１波長領域内の不可視光と、２波長領域内の不可視光と、を透過する材料からなっていてもよい。
【００１７】
本発明による発光媒体において、前記保護層はアクリル系樹脂を含んでもよい。
【００１８】
本発明による発光媒体において、前記保護層はポリメチルメタクリレートからなっていてもよい。
【発明の効果】
【００１９】
本発明による発光媒体によれば、簡易かつ迅速に発光画像の確認を行うことが可能となる。
さらに、発光画像のパターンが容易に解明されるのを防ぐことができ、これによって、発光媒体の偽造をより困難にすることができる。
【図面の簡単な説明】
【００２０】
【図１】図１は、本発明の発光媒体からなる偽造防止媒体により構成される有価証券の一例を示す平面図。
【図２】図２は、本発明の第１の実施の形態において、偽造防止媒体の発光画像を示す平面図。
【図３】図３は、図２に示す発光画像のIII−III線に沿った断面図。
【図４Ａ】図４Ａは、本発明の第１の実施の形態における第１蛍光インキの蛍光発光スペクトルを示す図。
【図４Ｂ】図４Ｂは、本発明の第１の実施の形態における第２蛍光インキの蛍光発光スペクトルを示す図。
【図５】図５は、本発明の第１の実施の形態における第１蛍光インキおよび第２蛍光インキから発光される蛍光の色度を示すｘｙ色度図。
【図６Ａ】図６Ａは、本発明の第１の実施の形態において、ＵＶ−Ａが照射されたときの発光画像を示す平面図。
【図６Ｂ】図６Ｂは、本発明の第１の実施の形態において、ＵＶ−Ｃが照射されたときの発光画像を示す平面図。
【図６Ｃ】図６Ｃは、比較例において、ＵＶ−Aが照射された時の発光画像を示す平面図。
【図７】図７は、本発明の第１の実施の形態の変形例において、偽造防止媒体の発光画像を示す平面図。
【図８】図８は、図７に示す発光画像のVIII−VIII線に沿った断面図。
【図９Ａ】図９Ａは、本発明の第１の実施の形態の変形例において、ＵＶ−Ａが照射されたときの発光画像を示す平面図。
【図９Ｂ】図９Ｂは、本発明の第１の実施の形態の変形例において、ＵＶ−Ｃが照射されたときの発光画像を示す平面図。
【図１０】図１０は、本発明の第２の実施の形態における第２蛍光インキの蛍光発光スペクトルを示す図。
【図１１Ａ】図１１Ａは、本発明の第２の実施の形態において、ＵＶ−Ａが照射されたときの発光画像を示す平面図。
【図１１Ｂ】図１１Ｂは、本発明の第２の実施の形態において、ＵＶ−Ｃが照射されたときの発光画像を示す平面図。
【図１２Ａ】図１２Ａは、本発明の第３の実施の形態における第１蛍光インキの蛍光発光スペクトルを示す図。
【図１２Ｂ】図１２Ｂは、本発明の第３の実施の形態における第２蛍光インキの蛍光発光スペクトルを示す図。
【図１３】図１３は、本発明の第３の実施の形態における第１蛍光インキおよび第２蛍光インキから発光される蛍光の色を示すｘｙ色度図。
【図１４Ａ】図１４Ａは、本発明の第３の実施の形態において、ＵＶ−Ｃが照射されたときの発光画像を示す平面図。
【図１４Ｂ】図１４Ｂは、本発明の第３の実施の形態において、ＵＶ−Ａが照射されたときの発光画像を示す平面図。
【図１５】図１５は、本発明の第４の実施の形態において、偽造防止媒体の発光画像を示す平面図。
【図１６】図１６は、図１５に示す発光画像のA−A線に沿った断面図。
【図１７Ａ】図１７Ａは、本発明の第４の実施の形態において、ＵＶ−Ａが照射されたときの発光画像を示す平面図。
【図１７Ｂ】図１７Ｂは、本発明の第４の実施の形態において、ＵＶ−Ｃが照射されたときの発光画像を示す平面図。
【図１８Ａ】図１８Aは、本発明の第４の実施の形態の変形例において、偽造防止媒体の発光画像を示す平面図。
【図１８Ｂ】図１８Ｂは、図１８Ａに示す発光画像のＢ−Ｂ線に沿った断面図。
【図１９Ａ】図１９Ａは、本発明の第４の実施の形態の変形例において、ＵＶ−Ａが照射されたときの発光画像を示す平面図。
【図１９Ｂ】図１９Ｂは、本発明の第４の実施の形態の変形例において、ＵＶ−Ｃが照射されたときの発光画像を示す平面図。
【図２０Ａ】図２０Ａは、本発明の第５の実施の形態において、ＵＶ−Ａが照射されたときの発光画像を示す平面図。
【図２０Ｂ】図２０Ｂは、本発明の第５の実施の形態において、ＵＶ−Ｃが照射されたときの発光画像を示す平面図。
【図２１Ａ】図２１Ａは、本発明の第６の実施の形態において、ＵＶ−Ｃが照射されたときの発光画像を示す平面図。
【図２１Ｂ】図２１Ｂは、本発明の第６の実施の形態において、ＵＶ−Ａが照射されたときの発光画像を示す平面図。
【発明を実施するための形態】
【００２１】
以下、図１乃至図６Ｂを参照して、本発明の第１の実施の形態について説明する。はじめに図１乃至図３を参照して、本発明の発光媒体からなる偽造防止媒体１０全体について説明する。
【００２２】
偽造防止媒体
図１は、本実施の形態による偽造防止媒体１０により構成される商品券（有価証券）の一例を示す図である。図１に示すように、偽造防止媒体１０は、基材１１と、基材１１上に形成された発光画像１２と、を有している。本実施の形態においては、後述するように、発光画像１２が、偽造防止媒体１０の真偽を判別するための真偽判別用画像として機能する。この発光画像１２は、図１に示すように、絵柄領域（第１領域）２０と、絵柄領域２０に隣接するよう形成された背景領域（第２領域）２５と、からなっている。図１に示す例において、絵柄領域２０は、「Ａ」という文字（絵柄）からなっており、また背景領域２５は、絵柄領域２０を取り囲むよう形成されている。各領域２０，２５は、後述するように、不可視光により励起されて蛍光を発する蛍光インキを印刷することにより形成されている。また、後述するように、発光画像１２は、その表面にオーバーコート層（保護層）３０が形成されている。このオーバーコート層３０は、ほぼ無色透明である。
【００２３】
偽造防止媒体１０において用いられる基材１１の材料が特に限られることはなく、偽造防止媒体１０により構成する有価証券の種類に応じて適宜選択される。例えば、基材１１の材料として、優れた印刷適性および加工適性を有する白色のポリエチレンテレフタレートが用いられる。基材１１の厚みは、偽造防止媒体１０により構成される有価証券の種類に応じて適宜設定される。
【００２４】
発光画像１２の大きさが特に限られることはなく、真偽判別のし易さや、求められる判別精度などに応じて適宜設定される。例えば、発光画像１２の長さｌ１およびｌ２は、それぞれ１〜２１０ｍｍおよび１〜３００ｍｍの範囲内となっている。
【００２５】
発光画像
次に図２および図３を参照して、発光画像１２についてより詳細に説明する。図２は、可視光下での発光画像１２を拡大して示す平面図であり、図３は、図２に示す発光画像１２のIII−III線に沿った断面図である。
【００２６】
はじめに図３を参照して、発光画像１２の構造について説明する。図３に示すように、発光画像１２の絵柄領域２０および背景領域２５は、基材１１上に第１蛍光インキ１３および第２蛍光インキ１４をベタ印刷することにより形成されている。オーバーコート層３０は、絵柄領域２０の第１蛍光インキ１３および背景領域２５の第２蛍光インキ１４上に、オーバーコートインキを、例えばスクリーン印刷することにより形成されている。
【００２７】
なお図３において、絵柄領域２０の第１蛍光インキ１３と背景領域２５の第２蛍光インキ１４とが接している例を示した。しかしながら、これに限られることはなく、本発明において、「隣接している」とは、肉眼によっては視認され得ない程度の隙間が、絵柄領域２０の第１蛍光インキ１３と背景領域２５の第２蛍光インキ１４との間に形成されていてもよい。また、絵柄領域２０の第１蛍光インキ１３と背景領域２５の第２蛍光インキ１４との間において、第１蛍光インキ１３と第２蛍光インキ１４とが重なって形成されていてもよい。
【００２８】
第１蛍光インキ１３および第２蛍光インキ１４の厚みｔ１およびｔ２は、有価証券の種類や、印刷の方式などに応じて適宜設定されるが、例えば、厚みｔ１は０．３〜１００μｍの範囲内となっており、厚みｔ２は０．３〜１００μｍの範囲内となっている。なお、好ましくは、厚みｔ１と厚みｔ２はほぼ同一となっている。これによって、第１蛍光インキ１３の厚みと第２蛍光インキ１４の厚みの差に起因して、絵柄領域２０と背景領域２５の間の境界が視認されるのを抑制することができる。
【００２９】
ここで、第１蛍光インキ１３及び第２蛍光インキ１４の表面の粗さと、オーバーコート層３０の厚みｔ３とについて説明する。
本実施の形態において基材１１として用いられている一般的なポリエチレンテレフタレート等のフィルム表面の算術平均粗さＲａ（以下、粗さＲａと称す）は、０．０１〜０．１μｍの範囲内となっている。また、マット処理されているポリエチレンテレフタレート等のフィルム表面の粗さＲａは、０．１〜０．５μｍの範囲内となっている。また、基材１１として紙を用いることもできる。紙の場合、写真用紙表面の粗さＲａは、０．０５〜０．５μｍの範囲内となっており、普通紙表面の粗さＲａは、２〜３μｍの範囲内となっている。よって、第１蛍光インキ１３と第２蛍光インキ１４の厚みが薄い場合、第１蛍光インキ１３と第２蛍光インキ１４の表面の粗さＲａは、基材１１として用いられる材料の表面の粗さＲａに近い値となる。また、第１蛍光インキ１３と第２蛍光インキ１４の厚みが厚い場合、第１蛍光インキ１３と第２蛍光インキ１４の表面の粗さＲａは、インキ自体の凹凸に起因した値となると考えられる。
以上より、オーバーコート層３０の厚みｔ３は、基材１１の表面の粗さＲａや、第１蛍光インキ１３および第２蛍光インキ１４の表面の粗さＲａなどに応じて適宜設定され、例えば、０．０１〜１００μｍの範囲内となっている。
【００３０】
第１蛍光インキ１３および第２蛍光インキ１４は各々、後述するように、可視光下では発光せず、特定の不可視光下で発光する所定の蛍光体、例えば粒状の顔料を含んでいる。ここで、インキ１３，１４に含まれる顔料の粒径は、例えば０．１〜１０μｍの範囲内となっており、好ましくは０．１〜３μｍの範囲内となっている。このため、インキ１３，１４に可視光が照射された場合、光が顔料粒子によって散乱される。また、前述の様に、オーバーコート層３０は、ほぼ無色透明である。従って、可視光下で発光画像１２を見た場合、図２に示すように、絵柄領域２０として白色絵柄領域２１ａが視認され、背景領域２５として白色背景領域２６ａが視認される。また上述のように、本実施の形態における基材１１は、白色のポリエチレンテレフタレートから形成されている。このため、可視光下において、基材１１、発光画像１２の絵柄領域２０および背景領域２５は全て白色のものとして視認される。従って、可視光下において発光画像１２の絵柄領域２０のパターンが現れることはない。このことにより、発光画像１２を有する偽造防止媒体１０が容易に偽造されるのが防がれている。
なお、図２において、絵柄領域２０と背景領域２５との間の第１境界線１５ａ、および、基材１１と発光画像１２との間の第２境界線１５ｂは、便宜上描かれているものである。可視光下において、第１境界線１５ａまたは第２境界線１５ｂは実際には視認されない。
【００３１】
蛍光インキ
次に図４Ａ乃至図５を参照して、第１蛍光インキ１３および第２蛍光インキ１４についてより詳細に説明する。図４Ａは、第１蛍光インキ１３の蛍光発光スペクトルを示す図であり、図４Ｂは、第２蛍光インキ１４の蛍光発光スペクトルを示す図である。図５は、特定の波長領域内の光が照射された場合に第１蛍光インキ１３および第２蛍光インキ１４から発光される光の色度をＸＹＺ表色系で示すｘｙ色度図である。
【００３２】
（第１蛍光インキ）
はじめに第１蛍光インキ１３について説明する。図４Ａにおいて、一点鎖線は、３１５〜４００ｎｍの波長域領域内（第１波長領域内）の紫外線（不可視光）、いわゆるＵＶ−Ａを照射されたときの第１蛍光インキ１３の蛍光発光スペクトルを示しており、実線は、２００〜２８０ｎｍの波長域領域内（第２波長領域内）の紫外線（不可視光）、いわゆるＵＶ−Ｃを照射されたときの第１蛍光インキ１３の蛍光発光スペクトルを示している。なお図４Ａに示す各蛍光発光スペクトルは、最大のピークにおけるピーク強度が１となるよう規格化されている。
【００３３】
図４Ａに示すように、第１蛍光インキ１３は、ＵＶ−Ａを照射されたとき、ピーク波長λ１Ａが約４４５ｎｍである青色（第１色）の光を発し、ＵＶ−Ｃを照射されたとき、ピーク波長λ１Ｃが約６１０ｎｍである赤色（第２色）の光を発する。このように、第１蛍光インキ１３は、ＵＶ−Ａ照射時とＵＶ−Ｃ照射時で発光色が異なる、いわゆる二色性蛍光体（第１蛍光体）を含んでいる。このような二色性蛍光体は、例えば、ＵＶ−Ａにより励起される蛍光体と、ＵＶ−Ｃにより励起される蛍光体と、を適宜組み合わせることにより構成される（例えば、特開平１０−２５１５７０号公報参照）。
なおＵＶ−Ａ照射時には、図４Ａに示すように約６１０ｎｍの波長の光も発光される。しかしながら、約６１０ｎｍの波長の光は、ピーク波長λ１Ａが約４４５ｎｍである光に比べて強度が小さいため、ＵＶ−Ａ照射時、第１蛍光インキ１３からの光は青色光として視認される。同様に、ＵＶ−Ｃ照射時、図４Ａに示すように約４４５ｎｍの波長の光も発光されるが、その強度が小さいため、第１蛍光インキ１３からの光は赤色光として視認される。
【００３４】
（第２蛍光インキ）
次に第２蛍光インキ１４について説明する。図４Ｂにおいて、一点鎖線は、ＵＶ−Ａを照射されたときの第２蛍光インキ１４の蛍光発光スペクトルを示しており、実線は、ＵＶ−Ｃを照射されたときの第２蛍光インキ１４の蛍光発光スペクトルを示している。図４Ａの場合と同様に、図４Ｂに示す各蛍光発光スペクトルは、最大のピークにおけるピーク強度が１となるよう規格化されている。
【００３５】
図４Ｂに示すように、第２蛍光インキ１４は、ＵＶ−Ａを照射されたとき、ピーク波長λ２Ａが約４４５ｎｍである青色（第１色）の光、または青色（第１色）と同色として視認される光を発する。また第２蛍光インキ１４は、ＵＶ−Ｃを照射されたとき、ピーク波長λ２Ｃが約５２５ｎｍである緑色（第３色）の光を発する。このように第２蛍光インキ１４も、第１蛍光インキ１３と同様に、ＵＶ−Ａ照射時とＵＶ−Ｃ照射時で発光色が異なる、いわゆる二色性蛍光体（第２蛍光体）を含んでいる。
なおＵＶ−Ａ照射時には、図４Ｂに示すように約５２５ｎｍの波長の光も発光される。しかしながら、約５２５ｎｍの波長の光は、ピーク波長λ２Ａが約４４５ｎｍである光に比べて強度が小さいため、ＵＶ−Ａ照射時、第２蛍光インキ１４からの光は青色光として視認される。同様に、ＵＶ−Ｃ照射時、図４Ｂに示すように約４４５ｎｍの波長の光も発光されるが、その強度が小さいため、第２蛍光インキ１４からの光は緑色光として視認される。
【００３６】
次に図５を参照して、ＵＶ−ＡまたはＵＶ−Ｃ照射時に第１蛍光インキ１３または第２蛍光インキ１４から発せられる光の色についてより詳細に説明する。図５に示す符号において、白抜きの丸または四角は、ＵＶ−Ａ照射時に第１蛍光インキ１３または第２蛍光インキ１４から発せられる光の色度をそれぞれ示している。また、黒塗りの丸または四角は、ＵＶ−Ｃ照射時に第１蛍光インキ１３または第２蛍光インキ１４から発せられる光の色度をそれぞれ示している。
【００３７】
上述の青色（第１色）は、図５において白抜きの丸で示される色度に対応している。また、上述の赤色（第２色）は、図５において黒塗りの丸で示される色度に対応しており、上述の緑色（第３色）は、図５において黒塗りの四角で示される色度に対応している。
【００３８】
図５に示すように、ｘｙ色度図において、ＵＶ−Ａ照射時に第１蛍光インキ１３から発せられる光の色度と、ＵＶ−Ａ照射時に第２蛍光インキ１４から発せられる光の色度とは近接している。このため上述のように、ＵＶ−Ａを照射されたときに第２蛍光インキ１４から発せられる光は、ＵＶ−Ａ照射時に第１蛍光インキ１３から発せられる光と同色の光として視認される。このため、第１蛍光インキ１３を用いて形成された絵柄領域２０と、第２蛍光インキ１４を用いて形成された背景領域２５とは、ＵＶ−Ａ照射時、同色の領域として視認される。従って後述するように、ＵＶ−Ａ照射時には、発光画像１２全体が単一色（青色）の画像として視認され、このため、絵柄領域２０のパターンは現れない。
【００３９】
また図５に示すように、ｘｙ色度図において、ＵＶ−Ｃ照射時に第１蛍光インキ１３から発せられる光の色度と、ＵＶ−Ｃ照射時に第２蛍光インキ１４から発せられる光の色度は大きく離れている。このため、ＵＶ−Ｃを照射されたときに第２蛍光インキ１４から発せられる光は、ＵＶ−Ｃ照射時に第１蛍光インキ１３から発せられる光と異色の光として視認される。このため、第１蛍光インキ１３を用いて形成された絵柄領域２０と、第２蛍光インキ１４を用いて形成された背景領域２５とは、ＵＶ−Ｃ照射時、異色の領域として視認される。従って後述するように、ＵＶ−Ｃ照射時には、絵柄領域２０のパターンが視認される。
【００４０】
なお本発明において、「同色」とは、肉眼では色の違いを判別できない程度に２つの色の色度が近接していることを意味している。より具体的には、「同色」とは、２つの色の色差ΔＥ＊ａｂが１０以下、好ましくは３以下であることを意味している。また「異色」とは、２つの色の色差ΔＥ＊ａｂが１０よりも大きいことを意味している。ここで色差ΔＥ＊ａｂとは、Ｌ＊ａ＊ｂ＊表色系におけるＬ＊、ａ＊およびｂ＊に基づいて算出される値であり、肉眼で観察された場合の色の相違に関する指標となる値である。なお、Ｌ＊ａ＊ｂ＊表色系におけるＬ＊、ａ＊およびｂ＊や、ＸＹＺ表色系における三刺激値Ｘ、ＹおよびＺは、光のスペクトルなどに基づいて算出される。またＬ＊、ａ＊およびｂ＊と三刺激値Ｘ、Ｙ、Ｚとの間には、周知の変換式に従う関係が成立している。
上記の三刺激値は、例えば分光光度計、色差計、測色計、色彩計、色度計等の計測器を用いることにより計測され得る。これらの計測器のうち分光光度計は、各波長の分光反射率を求めることができるので、三刺激値を精度良く計測することができ、このため色差の解析に適している。
色差ΔＥ＊ａｂを算出するには、例えば、はじめに、比較する複数の媒体（インキ）からの光を分光光度計にて計測し、その結果に基づいて、三刺激値Ｘ、Ｙ、Ｚ、またはＬ＊、ａ＊、ｂ＊を算出する。次に、複数の媒体（インキ）におけるＬ＊、ａ＊、ｂ＊の差（ΔＬ＊、Δａ＊、Δｂ＊）から、以下の式に基づいて色差を算出する。
【数１】
0005699313.tif 000002
【００４１】
次に、このような構成からなる本実施の形態の作用について説明する。ここでは、はじめに、偽造防止媒体１０を作製する方法について説明する。次に、偽造防止媒体１０からなる有価証券が正規のものであるかどうかを検査する方法について説明する。
【００４２】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、絵柄領域２０および背景領域２５からなる発光画像を形成する。
【００４３】
この際、第１蛍光インキ１３および第２蛍光インキ１４としては、例えば、所定の蛍光特性を有する二色性蛍光体２５重量％に、マイクロシリカ８重量％、有機ベントナイト２重量％、アルキッド樹脂５０重量％およびアルキルベンゼン系溶剤１５重量％を加えてオフセットインキ化されたインキがそれぞれ用いられる。このうち第１蛍光インキ１３用の二色性蛍光体（第１蛍光体）としては、例えば、波長２５４ｎｍの紫外線により励起されて赤色光を発光し、波長３６５ｎｍの紫外線により励起されて青色光を発光する蛍光体ＤＥ−ＲＢ（根本特殊化学製）が用いられる。また第２蛍光インキ１４用の二色性蛍光体（第２蛍光体）としては、例えば、波長２５４ｎｍの紫外線により励起されて緑色光を発光し、波長３６５ｎｍの紫外線により励起されて青色光を発光する蛍光体ＤＥ−ＧＢ（根本特殊化学製）が用いられる。
なお、波長３６５ｎｍの紫外線照射時に第１蛍光インキ１３から発せられる青色光と第２蛍光インキ１４から発せられる青色光との間の色差ΔＥ＊ａｂが１０以下、好ましくは３以下となるよう、インキ１３，１４の二色性蛍光体がそれぞれ選択されている。一般に、色差ΔＥ＊ａｂが３程度で人間の目の識別能力（色を見分ける能力）の限界となる。従って、色差ΔＥ＊ａｂを３以下とすることにより、肉眼での色の判別がより一層困難となり、これによって、真偽判別用の発光画像１２のパターンが容易に解明されるのを防ぐことができる。
【００４４】
なお、第１蛍光インキ１３および第２蛍光インキ１４における各構成要素の組成が上述の組成に限られることはなく、偽造防止媒体１０に求められる特性に応じて最適な組成が設定される。
【００４５】
次に、オーバーコートインキを用いて、絵柄領域２０の第１蛍光インキ１３および背景領域２５の第２蛍光インキ１４上に、例えば、厚み２μｍのオーバーコート層３０をスクリーン印刷により形成する。この際、オーバーコートインキとしては、例えば、アクリル系樹脂であるポリメチルメタクリレート６７重量％に、メチルエチルケトン３３重量％を加えてスクリーンインキ化されたインキが用いられる。
アクリル系樹脂とは、アクリル酸エステルあるいはメタクリル酸エステルの重合体を指す、透明性が高い合成樹脂である。本発明におけるオーバーコート層３０は、ＵＶ−ＡからＵＶ−Ｃまでの紫外線およびそれらを照射したときに発光する可視光域の波長の光を透過することが必要であり、広い透過波長域を有するアクリル系樹脂が好適である。
特に、ポリメチルメタクリレートは、可視光域の光および波長３６５ｎｍと２５４ｎｍの紫外線を透過するため、本発明に好適である。
このようにして作成されたオーバーコートインキは、波長２５４ｎｍの紫外線と、波長３６５ｎｍの紫外線とを透過する。
オーバーコート層３０の形成には、上述のスクリーン印刷を含む各種印刷手法を用いることができるが、これらに限られず、ラミネート手法や熱転写手法等も用いてもよい。
【００４６】
確認方法
次に、図２、図６Ａおよび図６Ｂを参照して、偽造防止媒体１０からなる有価証券が正規のものであるかどうかを検査（確認）する方法について説明する。
【００４７】
（可視光照射時）
はじめに、可視光下での偽造防止媒体１０を観察する。この場合、上述のように、基材１１、発光画像１２の絵柄領域２０および背景領域２５はそれぞれ白色のものとして視認される（図２参照）。このため、可視光下においては、発光画像１２の絵柄領域２０のパターンは現れない。
【００４８】
（ＵＶ−Ａ照射時）
次に、ＵＶ−Ａ照射時の偽造防止媒体１０を観察する。照射されるＵＶ−Ａとしては、例えば、波長３６５ｎｍの紫外線が用いられる。ＵＶ−Ａは、オーバーコート層３０を透過して、絵柄領域２０を形成する第１蛍光インキ１３と、背景領域２５を形成する第２蛍光インキ１４とに到達する。
【００４９】
図６Ａは、ＵＶ−Ａ照射時の偽造防止媒体１０の発光画像１２を示す平面図である。絵柄領域２０を形成する第１蛍光インキ１３は蛍光体ＤＥ−ＲＢを含んでおり、このため、第１蛍光インキ１３は青色光を発光する。従って、絵柄領域２０が青色部分２１ｂとして視認される。一方、背景領域２５を形成する第２蛍光インキ１４は蛍光体ＤＥ−ＧＢを含んでおり、このため、第２蛍光インキ１４は青色光を発光する。従って、背景領域２５も青色部分２６ｂとして視認される。ここで、絵柄領域２０の第１蛍光インキ１３と背景領域２５の第２蛍光インキ１４との間に厚みや表面の粗さの違いが存在していても、オーバーコート層３０がこれらを打ち消すので、青色部分２１ｂと青色部分２６ｂとが同色として視認される。このように、ＵＶ−Ａ照射時において、絵柄領域２０および背景領域２５は、同色の領域として視認される。従って、ＵＶ−Ａ照射時において、発光画像１２の絵柄領域２０のパターンは現れない。
【００５０】
（ＵＶ−Ｃ照射時）
次に、ＵＶ−Ｃ照射時の偽造防止媒体１０を観察する。照射されるＵＶ−Ｃとしては、例えば、波長２５４ｎｍの紫外線が用いられる。ＵＶ−Cは、オーバーコート層３０を透過して、絵柄領域２０を形成する第１蛍光インキ１３と、背景領域２５を形成する第２蛍光インキ１４とに到達する。
【００５１】
図６Ｂは、ＵＶ−Ｃ照射時の偽造防止媒体１０の発光画像１２を示す平面図である。絵柄領域２０を形成する第１蛍光インキ１３は蛍光体ＤＥ−ＲＢを含んでおり、このため、第１蛍光インキ１３は赤色光を発光する。従って、絵柄領域２０が赤色部分２１ｃとして視認される。一方、背景領域２５を形成する第２蛍光インキ１４は蛍光体ＤＥ−ＧＢを含んでおり、このため、第２蛍光インキ１４は緑色光を発光する。従って、背景領域２５は緑色部分２６ｃとして視認される。このように、ＵＶ−Ｃ照射時において、絵柄領域２０および背景領域２５は、異なった色の領域として視認される。従って、ＵＶ−Ｃ照射時において、発光画像１２の絵柄領域２０のパターンが視認される。
【００５２】
可視光、ＵＶ−ＡまたはＵＶ−Ｃが照射された場合に絵柄領域２０および背景領域２５の色が上述のように変化するのを検査することにより、偽造防止媒体１０からなる有価証券が正規のものであることが確認される。
【００５３】
比較例
ここで、比較例として、オーバーコート層３０を備えていない発光画像１２について説明する。
図６Ｃは、比較例において、ＵＶ−A照射時の偽造防止媒体１０の発光画像１２を示す平面図である。この偽造防止媒体１０の発光画像１２は、オーバーコート層３０を備えていない点が、図２，３の構成と異なる。他の構成は図２，３と同一であるため、説明は省略する。また、発光画像１２の絵柄領域２０と背景領域２５との間に厚みや表面の粗さの違いが存在するものとする。第１の実施形態と同様に、ＵＶ−A照射により、絵柄領域２０が青色部分２１ｂ’として視認される。一方、背景領域２５も青色部分２６ｂ’として視認される。しかしながら、絵柄領域２０と背景領域２５との厚みや表面の粗さの違いに起因して、青色部分２１ｂ’と青色部分２６ｂ’との色差は、これらが異色であると視認可能な程度に大きくなっているので、「Ａ」の文字が視認されてしまう。
【００５４】
変形例
なお本実施の形態において、発光画像１２の絵柄領域２０および背景領域２５が、第１蛍光体を含む第１蛍光インキ１３および第２蛍光体を含む第２蛍光インキ１４を基材１１上にベタ印刷することにより形成される例を示した。しかしながら、これに限られることはなく、第１蛍光体を含む第１蛍光インキ１３および第２蛍光体を含む第２蛍光インキ１４を同一の所定パターンで基材１１上に印刷することにより、絵柄領域２０および背景領域２５を形成してもよい。以下、図７乃至図９Ｂを参照して、第１蛍光インキ１３および第２蛍光インキ１４が基材１１上にストライプ状に印刷される例について説明する。
【００５５】
図７は、本変形例において、可視光下における偽造防止媒体１０の発光画像１２を示す平面図であり、図８は、図７に示す発光画像１２のVIII−VIII線に沿った断面図である。図７および図８に示すように、本変形例においては、第１蛍光インキ１３および第２蛍光インキ１４を基材１１上にストライプ状に印刷することにより、絵柄領域２０および背景領域２５が形成されている。また、オーバーコート層３０が、絵柄領域２０の第１蛍光インキ１３上と、背景領域２５の第２蛍光インキ１４上と、絵柄領域２０及び背景領域２５において露出している基材１１上とに、形成されている。
【００５６】
次に、図７、図９Ａおよび図９Ｂを参照して、本変形例において、偽造防止媒体１０からなる有価証券が正規のものであるかどうかを検査する方法について説明する。
【００５７】
（可視光照射時）
可視光下においては、図７に示すように、絵柄領域２０および背景領域２５はそれぞれ、ストライプ状に配置された白色部分２１ａ，２６ａから形成されている。このため、可視光下においては、発光画像１２の絵柄領域２０のパターンは現れない。
【００５８】
（ＵＶ−Ａ照射時）
図９Ａは、ＵＶ−Ａ照射時の偽造防止媒体１０の発光画像１２を示す平面図である。絵柄領域２０および背景領域２５はそれぞれ、ストライプ状に配置された青色部分２１ｂ，２６ｂから形成されている。また、前述のように、絵柄領域２０の第１蛍光インキ１３と背景領域２５の第２蛍光インキ１４との間に厚みや表面の粗さの違いが存在していても、オーバーコート層３０がこれらを打ち消すので、青色部分２１ｂと青色部分２６ｂとが同色として視認される。このため、ＵＶ−Ａ照射時において、発光画像１２の絵柄領域２０のパターンは現れない。
また本変形例においては、基材１１上に第１蛍光インキ１３および第２蛍光インキ１４がベタ印刷される場合に比べて、絵柄領域２０の青色部分２１ｂと背景領域２５の青色部分２６ｂとが接する部分がより少なくなっている。このため、仮に青色部分２１ｂと青色部分２６ｂとが接する部分において不規則に反射または屈折する光が存在する場合であっても、そのような光に起因して青色部分２１ｂと青色部分２６ｂとの間の境界が視認される可能性が低減されている。このことにより、ＵＶ−Ａ照射時に絵柄領域２０のパターンが解明されるのをより強固に防ぐことができる。
【００５９】
（ＵＶ−Ｃ照射時）
図９Ｂは、ＵＶ−Ｃ照射時の偽造防止媒体１０の発光画像１２を示す平面図である。絵柄領域２０および背景領域２５はそれぞれ、ストライプ状に配置された赤色部分２１ｃおよび緑色部分２６ｃから形成されている。このため、ＵＶ−Ｃ照射時において、発光画像１２の絵柄領域２０のパターンが視認される。
【００６０】
なお本変形例において、第１蛍光インキ１３および第２蛍光インキ１４が基材１１上にストライプ状に印刷される例を示した。しかしながら、これに限られることはなく、第１蛍光インキ１３および第２蛍光インキ１４を様々なパターンで基材１１上に印刷することができる。
例えば、第１蛍光インキ１３および第２蛍光インキ１４が網点で基材１１上に印刷されてもよい。この際の網点パーセントが特に限られることはなく、偽造防止媒体１０に求められる特性に応じて網点パーセントが適宜設定される。
【００６１】
その他の変形例
また本実施の形態において、第１蛍光インキ１３として、蛍光体ＤＥ−ＲＢを含むインキが用いられ、第２蛍光インキ１４として、蛍光体ＤＥ−ＧＢを含むインキが用いられる例を示した。すなわち、以下に示す表１における組合せ＿１のインキが用いられる例を示した。しかしながら、これに限られることはなく、第１蛍光インキ１３および第２蛍光インキ１４として、表１における組合せ＿２または組合せ＿３のインキを用いてもよい。組合せ＿２または組合せ＿３の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２のパターンが容易に解明されるのを防ぐことができ、このことにより、偽造防止媒体１０の偽造をより困難にすることができる。
なお表１において、「ＵＶ−Ａ」または「ＵＶ−Ｃ」の列に示されている色は、ＵＶ−ＡまたはＵＶ−Ｃが照射されたときに第１蛍光インキ１３および第２蛍光インキ１４から発せられる光の色をそれぞれ示している。また、「蛍光体」の列に示されている名称は、いずれも根本特殊化学における製品名を表している。この場合、製品名「ＤＥ−Ｘ１Ｘ２」において、Ｘ１がＵＶ−Ｃ照射時の発光色を示しており、Ｘ２がＵＶ−Ａ照射時の発光色を示している。例えば蛍光体ＤＥ−ＧＲは、ＵＶ−Ｃ照射時に緑色光を発し、ＵＶ−Ａ照射時に赤色光を発する蛍光体となっている。
【表１】
0005699313.tif 000003
【００６２】
また本実施の形態において、絵柄領域２０が第１蛍光インキ１３を用いて形成され、背景領域２５が第２蛍光インキ１４を用いて形成される例を示した。しかしながら、これに限られることはなく、第２蛍光インキ１４を用いて絵柄領域２０を形成し、第１蛍光インキ１３を用いて背景領域２５を形成してもよい。この場合も、絵柄領域２０のパターンは、ＵＶ−Ａを照射されたときには視認されず、ＵＶ−Ｃを照射されてはじめて視認される。このことにより、偽造防止媒体１０の偽造を困難にすることができる。
【００６３】
第２の実施の形態
次に、図１０乃至図１１Ｂを参照して、本発明の第２の実施の形態について説明する。図１０乃至図１１Ｂに示す第２の実施の形態は、ＵＶ−Ｃを照射されたとき光を発光しないインキから第２蛍光インキ１４が構成される点が異なるのみであり、他の構成は、図１乃至図９Ｂに示す第１の実施の形態と略同一である。図１０乃至図１１Ｂに示す第２の実施の形態において、図１乃至図９Ｂに示す第１の実施の形態と同一部分には同一符号を付して詳細な説明は省略する。
【００６４】
（第２蛍光インキ）
はじめに図１０を参照して、本実施の形態における第２蛍光インキ１４について説明する。図１０において、一点鎖線は、ＵＶ−Ａを照射されたときの第２蛍光インキ１４の蛍光発光スペクトルを示しており、実線は、ＵＶ−Ｃを照射されたときの第２蛍光インキ１４の蛍光発光スペクトルを示している。図１０において、ＵＶ−Ｃ照射時のスペクトル（実線）のピークにおける強度は、ＵＶ−Ａ照射時のスペクトル（一点鎖線）の最大のピークにおけるピーク強度を１とした場合の相対的な強度として示されている。
【００６５】
図１０に示すように、第２蛍光インキ１４は、ＵＶ−Ａを照射されたとき、ピーク波長λ２Ａが約４４５ｎｍである青色（第１色）の光、または青色（第１色）と同色として視認される光を発する。また第２蛍光インキ１４は、ＵＶ−Ｃを照射されたとき、ＵＶ−Ａ照射時のピーク強度に比べて著しく小さい強度を有する約４４５ｎｍの波長の光を発する。このように、ＵＶ−Ｃ照射時に第２蛍光インキ１４から発せられる光は、その強度が非常に小さく、従って肉眼によっては殆ど感知されない。このため、ＵＶ−Ｃ照射時、第２蛍光インキ１４は無色のインキとして視認される。このように本実施の形態において、第２蛍光インキ１４に含まれる第２蛍光体は、ＵＶ−Ａ照射時にのみ光を発する単色性蛍光体となっている。
【００６６】
なお本発明において、「無色」とは、第２蛍光インキ１４自体から発せられる光の色以外の要素により、第２蛍光インキ１４を観察する際に視認される色が決定されることを意味する。例えば、第２蛍光インキ１４にＵＶ−Ｃ照射のみが照射されている場合、第２蛍光インキ１４が黒色のものとして視認される。また、第２蛍光インキ１４にＵＶ−Ｃおよび可視光が照射されている場合、上述のように可視光が第２蛍光インキ１４中の顔料粒子によって散乱され、これによって、第２蛍光インキ１４が白色のものとして視認される。
【００６７】
また本発明において「ＵＶ−Ｃを照射されたとき光を発光しない」とは、ＵＶ−Ｃを照射されたとき光を全く発光しない場合だけでなく、図１０において実線により示すように、肉眼によっては特定の色の光として感知され得ない程度の小さな強度の光を発光する場合も含む概念である。
【００６８】
次に、このような構成からなる本実施の形態の作用について説明する。ここでは、はじめに、偽造防止媒体１０を作製する方法について説明する。次に、偽造防止媒体１０からなる有価証券が正規のものであるかどうかを検査する方法について説明する。
【００６９】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、絵柄領域２０および背景領域２５からなる発光画像を形成する。
【００７０】
この際用いられる第１蛍光インキ１３は、図１乃至図９Ｂに示す第１の実施の形態における第１蛍光インキ１３と同一であるので、詳細な説明は省略する。第２蛍光インキ１４としては、所定の蛍光特性を有する単色性蛍光体２５重量％に、マイクロシリカ８重量％、有機ベントナイト２重量％、アルキッド樹脂５０重量％およびアルキルベンゼン系溶剤１５重量％を加えてオフセットインキ化されたインキが用いられる。第２蛍光インキ１４用の単色性蛍光体（第２蛍光体）としては、例えば、波長３６５ｎｍの紫外線で青色光を発光する蛍光体Ｄ−１１８４（根本特殊化学製）が用いられる。
【００７１】
次に、オーバーコートインキを用いて、絵柄領域２０の第１蛍光インキ１３および背景領域２５の第２蛍光インキ１４上に、例えば、厚み２μｍのオーバーコート層３０を形成する。このオーバーコートインキは、第１の実施の形態におけるオーバーコートインキと同一であるので、詳細な説明は省略する。
【００７２】
確認方法
次に、図１１Ａおよび図１１Ｂを参照して、偽造防止媒体１０からなる有価証券が正規のものであるかどうかを検査（確認）する方法について説明する。
【００７３】
（ＵＶ−Ａ照射時）
図１１Ａは、ＵＶ−Ａ照射時の偽造防止媒体１０の発光画像１２を示す平面図である。絵柄領域２０を形成する第１蛍光インキ１３は蛍光体ＤＥ−ＲＢを含んでおり、このため、第１蛍光インキ１３は青色光を発光する。従って、絵柄領域２０が青色部分２１ｂとして視認される。一方、背景領域２５を形成する第２蛍光インキ１４は蛍光体Ｄ−１１８４を含んでおり、このため、第２蛍光インキ１４は青色光を発光する。従って、背景領域２５も青色部分２６ｂとして視認される。また、前述のように、絵柄領域２０の第１蛍光インキ１３と背景領域２５の第２蛍光インキ１４との間に厚みや表面の粗さの違いが存在していても、オーバーコート層３０がこれらを打ち消すので、青色部分２１ｂと青色部分２６ｂとが同色として視認される。このように、ＵＶ−Ａ照射時において、絵柄領域２０および背景領域２５は、同色の領域として視認される。従って、ＵＶ−Ａ照射時において、発光画像１２の絵柄領域２０のパターンは現れない。
【００７４】
（ＵＶ−Ｃ照射時）
図１１Ｂは、ＵＶ−Ｃ照射時の偽造防止媒体１０の発光画像１２を示す平面図である。絵柄領域２０を形成する第１蛍光インキ１３は蛍光体ＤＥ−ＲＢを含んでおり、このため、第１蛍光インキ１３は赤色光を発光する。従って、絵柄領域２０が赤色部分２１ｃとして視認される。一方、背景領域２５を形成する第２蛍光インキ１４は、ＵＶ−Ｃ照射時に光を発光しないインキからなっており、従って、背景領域２５は無色部分２６ｄとして視認される。従って、ＵＶ−Ｃ照射時において、発光画像１２の絵柄領域２０のパターンが視認される。
【００７５】
変形例
なお本実施の形態において、第１蛍光インキ１３として、蛍光体ＤＥ−ＲＢを含むインキが用いられ、第２蛍光インキ１４として、蛍光体Ｄ−１１８４を含むインキが用いられる例を示した。すなわち、以下に示す表２における組合せ＿１のインキが用いられる例を示した。しかしながら、これに限られることはなく、第１蛍光インキ１３および第２蛍光インキ１４として、表２における組合せ＿２乃至組合せ＿６のインキを用いてもよい。組合せ＿２乃至組合せ＿６の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２のパターンが容易に解明されるのを防ぐことができ、このことにより、偽造防止媒体１０の偽造をより困難にすることができる。
なお表２において、「ＵＶ−Ｃ」の列における「無色」は、光が発光されないことを示している。また、表２において、「蛍光体」の列に示されている名称は、いずれも根本特殊化学における製品名を表している。
【表２】
0005699313.tif 000004
【００７６】
また本実施の形態において、絵柄領域２０が第１蛍光インキ１３を用いて形成され、背景領域２５が第２蛍光インキ１４を用いて形成される例を示した。しかしながら、これに限られることはなく、第２蛍光インキ１４を用いて絵柄領域２０を形成し、第１蛍光インキ１３を用いて背景領域２５を形成してもよい。この場合も、絵柄領域２０と背景領域２５とにより構成される発光画像１２のパターンは、ＵＶ−Ａを照射されたときには視認されず、ＵＶ−Ｃを照射されてはじめて視認される。このことにより、偽造防止媒体１０の偽造を困難にすることができる。
【００７７】
また本実施の形態において、図７乃至図９Ｂに示す第１の実施の形態の変形例の場合と同様に、第１蛍光インキ１３および第２蛍光インキ１４を同一の所定パターンで基材１１上に印刷することにより、絵柄領域２０および背景領域２５を形成してもよい。
【００７８】
第３の実施の形態
次に、図１２Ａ乃至図１４Ｂを参照して、本発明の第３の実施の形態について説明する。図１２Ａ乃至図１４Ｂに示す第３の実施の形態は、第１蛍光インキおよび第２蛍光インキが、ＵＶ−Ｃを照射されたとき同色または同色として視認される色の光を発光するよう選択される点が異なるのみであり、他の構成は、図１乃至図９Ｂに示す第１の実施の形態と略同一である。図１２Ａ乃至図１４Ｂに示す第３の実施の形態において、図１乃至図９Ｂに示す第１の実施の形態と同一部分には同一符号を付して詳細な説明は省略する。
【００７９】
蛍光インキ
はじめに図１２Ａ乃至図１３を参照して、本実施の形態における第１蛍光インキ１３および第２蛍光インキ１４について詳細に説明する。図１２Ａは、第１蛍光インキ１３の蛍光発光スペクトルを示す図であり、図１２Ｂは、第２蛍光インキ１４の蛍光発光スペクトルを示す図である。図１３は、特定の波長領域内の光が照射された場合に第１蛍光インキ１３および第２蛍光インキ１４から発光される光の色度をＸＹＺ表色系で示すｘｙ色度図である。
【００８０】
（第１蛍光インキ）
はじめに第１蛍光インキ１３について説明する。図１２Ａにおいて、一点鎖線は、ＵＶ−Ａ（第２波長領域内の不可視光）を照射されたときの第１蛍光インキ１３の蛍光発光スペクトルを示しており、実線は、ＵＶ−Ｃ（第１波長領域内の不可視光）を照射されたときの第１蛍光インキ１３の蛍光発光スペクトルを示している。なお図１２Ａに示す各蛍光発光スペクトルは、最大のピークにおけるピーク強度が１となるよう規格化されている。
【００８１】
図１２Ａに示すように、第１蛍光インキ１３は、ＵＶ−Ｃを照射されたとき、ピーク波長λ１Ｃが約５２５ｎｍである緑色（第１色）の光を発し、ＵＶ−Ａを照射されたとき、ピーク波長λ１Ａが約４４５ｎｍである青色（第２色）の光を発する。
なおＵＶ−Ｃ照射時には、図１２Ａに示すように約４４５ｎｍの波長の光も発光される。しかしながら、約４４５ｎｍの波長の光は、ピーク波長λ１Ｃが約５２５ｎｍである光に比べて強度が小さいため、ＵＶ−Ｃ照射時、第１蛍光インキ１３からの光は緑色光として視認される。同様に、ＵＶ−Ａ照射時、図１２Ａに示すように約５２５ｎｍの波長の光も発光されるが、その強度が小さいため、第１蛍光インキ１３からの光は青色光として視認される。
【００８２】
（第２蛍光インキ）
次に第２蛍光インキ１４について説明する。図１２Ｂにおいて、一点鎖線は、ＵＶ−Ａを照射されたときの第２蛍光インキ１４の蛍光発光スペクトルを示しており、実線は、ＵＶ−Ｃを照射されたときの第２蛍光インキ１４の蛍光発光スペクトルを示している。図４Ａの場合と同様に、図４Ｂに示す各蛍光発光スペクトルは、最大のピークにおけるピーク強度が１となるよう規格化されている。
【００８３】
図１２Ｂに示すように、第２蛍光インキ１４は、ＵＶ−Ｃを照射されたとき、約５２５ｎｍのピーク波長λ２Ｃを有する緑色（第１色）の光、または緑色（第１色）と同色として視認される光を発する。また第２蛍光インキ１４は、ＵＶ−Ａを照射されたとき、約６１０ｎｍのピーク波長λ２Ａを有する赤色（第３色）の光を発する。
なおＵＶ−Ｃ照射時には、図１２Ｂに示すように約６１０ｎｍの波長の光も発光される。しかしながら、約６１０ｎｍの波長の光は、ピーク波長λ２Ｃが約５２５ｎｍである光に比べて強度が小さいため、ＵＶ−Ｃ照射時、第２蛍光インキ１４からの光は緑色光として視認される。
【００８４】
次に図１３を参照して、ＵＶ−ＡまたはＵＶ−Ｃ照射時に第１蛍光インキ１３または第２蛍光インキ１４から発せられる光の色についてより詳細に説明する。図１３に示す符号において、白抜きの四角または三角は、ＵＶ−Ａ照射時に第１蛍光インキ１３または第２蛍光インキ１４から発せられる光の色度をそれぞれ示している。また、黒塗りの四角または三角は、ＵＶ−Ｃ照射時に第１蛍光インキ１３または第２蛍光インキ１４から発せられる光の色度をそれぞれ示している。
【００８５】
上述の緑色（第１色）は、図１３において黒塗りの四角で示される色度に対応している。また、上述の青色（第２色）は、図１３において白抜きの四角で示される色度に対応しており、上述の赤色（第３色）は、図１３において白抜きの三角で示される色度に対応している。
【００８６】
図１３に示すように、ｘｙ色度図において、ＵＶ−Ｃ照射時に第１蛍光インキ１３から発せられる光の色度と、ＵＶ−Ｃ照射時に第２蛍光インキ１４から発せられる光の色度とは近接している。このため上述のように、ＵＶ−Ｃを照射されたときに第２蛍光インキ１４から発せられる光は、ＵＶ−Ｃ照射時に第１蛍光インキ１３から発せられる光と同色の光として視認される。このため、第１蛍光インキ１３を用いて形成された絵柄領域２０と、第２蛍光インキ１４を用いて形成された背景領域２５とは、ＵＶ−Ｃ照射時、同色の領域として視認される。従って後述するように、ＵＶ−Ｃ照射時には、発光画像１２全体が単一色（緑色）の画像として視認され、このため、絵柄領域２０のパターンは現れない。
【００８７】
また図１３に示すように、ｘｙ色度図において、ＵＶ−Ａ照射時に第１蛍光インキ１３から発せられる光の色度と、ＵＶ−Ｃ照射時に第２蛍光インキ１４から発せられる光の色度は大きく離れている。このため、ＵＶ−Ａを照射されたときに第２蛍光インキ１４から発せられる光は、ＵＶ−Ａ照射時に第１蛍光インキ１３から発せられる光と異色の光として視認される。このため、第１蛍光インキ１３を用いて形成された絵柄領域２０と、第２蛍光インキ１４を用いて形成された背景領域２５とは、ＵＶ−Ａ照射時、異色の領域として視認される。従って後述するように、ＵＶ−Ａ照射時には、絵柄領域２０のパターンが視認される。
【００８８】
次に、このような構成からなる本実施の形態の作用について説明する。ここでは、はじめに、偽造防止媒体１０を作製する方法について説明する。次に、偽造防止媒体１０からなる有価証券が正規のものであるかどうかを検査する方法について説明する。
【００８９】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、絵柄領域２０および背景領域２５からなる発光画像を形成する。
【００９０】
この際、第１蛍光インキ１３および第２蛍光インキ１４としては、例えば、所定の蛍光特性を有する二色性蛍光体２５重量％に、マイクロシリカ８重量％、有機ベントナイト２重量％、アルキッド樹脂５０重量％およびアルキルベンゼン系溶剤１５重量％を加えてオフセットインキ化されたインキがそれぞれ用いられる。このうち第１蛍光インキ１３用の二色性蛍光体（第１蛍光体）としては、例えば、波長２５４ｎｍの紫外線により励起されて緑色光を発光し、波長３６５ｎｍの紫外線により励起されて青色光を発光する蛍光体ＤＥ−ＧＢ（根本特殊化学製）が用いられる。また第２蛍光インキ１４用の二色性蛍光体（第２蛍光体）としては、例えば、波長２５４ｎｍの紫外線により励起されて緑色光を発光し、波長３６５ｎｍの紫外線により励起されて赤色光を発光する蛍光体ＤＥ−ＧＲ（根本特殊化学製）が用いられる。なお、波長２５４ｎｍの紫外線照射時に第１蛍光インキ１３から発せられる緑色光と第２蛍光インキ１４から発せられる緑色光との間の色差ΔＥ＊ａｂが１０以下、好ましくは３以下となるよう、インキ１３，１４の二色性蛍光体がそれぞれ選択されている。
【００９１】
次に、オーバーコートインキを用いて、絵柄領域２０の第１蛍光インキ１３および背景領域２５の第２蛍光インキ１４上に、例えば、厚み２μｍのオーバーコート層３０を形成する。このオーバーコートインキは、第１の実施の形態におけるオーバーコートインキと同一であるので、詳細な説明は省略する。
【００９２】
確認方法
次に、図１４Ａおよび図１４Ｂを参照して、偽造防止媒体１０からなる有価証券が正規のものであるかどうかを検査（確認）する方法について説明する。
【００９３】
（ＵＶ−Ｃ照射時）
図１４Ａは、ＵＶ−Ｃ照射時の偽造防止媒体１０の発光画像１２を示す平面図である。絵柄領域２０を形成する第１蛍光インキ１３は蛍光体ＤＥ−ＧＢを含んでおり、このため、第１蛍光インキ１３は緑色光を発光する。従って、絵柄領域２０が緑色部分２２ｃとして視認される。一方、背景領域２５を形成する第２蛍光インキ１４は蛍光体ＤＥ−ＧＲを含んでおり、このため、第２蛍光インキ１４は緑色光を発光する。従って、背景領域２５も緑色部分２７ｃとして視認される。また、前述のように、絵柄領域２０の第１蛍光インキ１３と背景領域２５の第２蛍光インキ１４との間に厚みや表面の粗さの違いが存在していても、オーバーコート層３０がこれらを打ち消すので、緑色部分２２ｃと緑色部分２７ｃとが同色として視認される。このように、ＵＶ−Ｃ照射時において、絵柄領域２０および背景領域２５は、同色の領域として視認される。従って、ＵＶ−Ｃ照射時において、発光画像１２の絵柄領域２０のパターンは現れない。
【００９４】
（ＵＶ−Ａ照射時）
図１４Ｂは、ＵＶ−Ａ照射時の偽造防止媒体１０の発光画像１２を示す平面図である。絵柄領域２０を形成する第１蛍光インキ１３は蛍光体ＤＥ−ＧＢを含んでおり、このため、第１蛍光インキ１３は青色光を発光する。従って、絵柄領域２０が青色部分２２ｂとして視認される。一方、背景領域２５を形成する第２蛍光インキ１４は蛍光体ＤＥ−ＧＲを含んでおり、このため、第２蛍光インキ１４は赤色光を発光する。従って、背景領域２５は赤色部分２７ｂとして視認される。このように、ＵＶ−Ａ照射時において、絵柄領域２０および背景領域２５は、異なった色の領域として視認される。従って、ＵＶ−Ａ照射時において、発光画像１２の絵柄領域２０のパターンが視認される。
【００９５】
このように上記第１から第３の各実施の形態によれば、偽造防止媒体１０は、基材１１と、第１蛍光体を含む第１蛍光インキ１３を用いて基材１１上に形成された絵柄領域２０と、絵柄領域２０に隣接するよう、第２蛍光体を含む第２蛍光インキ１４を用いて基材１１上に形成された背景領域２５と、絵柄領域２０の第１蛍光体および背景領域２５の第２蛍光体上に形成されたオーバーコート層３０と、を備えている。オーバーコート層３０は、ＵＶ−ＡとＵＶ−Ｃを透過する。第１および第２の実施の形態においては、このうち第１蛍光インキ１３の第１蛍光体は、ＵＶ−Aを照射されたとき、青色（第１色）の光を発光し、ＵＶ−Cを照射されたとき、赤色（第２色）の光を発光する蛍光体ＤＥ−ＲＢからなっている。一方、第１の実施の形態においては、第２蛍光インキ１４の第２蛍光体は、ＵＶ−Ａを照射されたとき、青色（第１色）または青色（第１色）と同色として視認される色の光を発光し、ＵＶ−Ｃを照射されたとき、緑色（第３色）の光を発光する蛍光体ＤＥ−ＧＢからなっている。また、第２の実施の形態においては、第２蛍光インキ１４の第２蛍光体は、ＵＶ−Ａを照射されたとき、青色（第１色）または青色（第１色）と同色として視認される色の光を発光し、ＵＶ−Ｃを照射されたとき、光を発光しない蛍光体Ｄ−１１８４からなっている。また、第３の実施の形態においては、第１蛍光インキ１３の第１蛍光体は、ＵＶ−Ｃを照射されたとき、緑色（第１色）の光を発光し、ＵＶ−Ａを照射されたとき、青色（第２色）の光を発光する蛍光体ＤＥ−ＧＢからなっている。一方、第２蛍光インキ１４の第２蛍光体は、ＵＶ−Ｃを照射されたとき、緑色（第１色）または緑色（第１色）と同色として視認される色の光を発光し、ＵＶ−Ａを照射されたとき、赤色（第３色）の光を発光する蛍光体ＤＥ−ＧＲからなっている。このため、上記第１及び第２の実施の形態によれば、絵柄領域２０と背景領域２５とは、ＵＶ−Ａを照射されたときには判別されず、ＵＶ−Ｃを照射されてはじめて判別される。すなわち、絵柄領域２０のパターンは、ＵＶ−Ａを照射されたときには視認されず、ＵＶ−Ｃを照射されてはじめて視認される。また、上記第３の実施の形態によれば、絵柄領域２０と背景領域２５とは、ＵＶ−Ｃを照射されたときには判別されず、ＵＶ−Ａを照射されてはじめて判別される。すなわち、絵柄領域２０のパターンは、ＵＶ−Ｃを照射されたときには視認されず、ＵＶ−Ａを照射されてはじめて視認される。
このように、二色性蛍光体を含むインキを用いて絵柄領域２０および背景領域２５を形成することにより、単色性蛍光体を含むインキが用いられる場合に比べて、偽造防止媒体１０の偽造を困難にすることができる。また、肉眼によって、発光画像１２が正規のものかどうかを簡易かつ迅速に判別することが可能となる。
また、第１蛍光インキ１３の第１蛍光体および第２蛍光インキ１４の第２蛍光体を、ＵＶ−Ａ（第１及び第２の実施の形態）又はＵＶ−Ｃ（第３の実施の形態）を照射されたとき同色または同色として視認される色を発光するよう選択することにより、発光画像１２のパターンが容易に解明されるのを防ぐことができる。このことにより、偽造防止媒体１０の偽造をより困難にすることができる。
さらに、発光画像１２の絵柄領域２０と背景領域２５との間に厚みや表面の粗さの違いが存在していても、オーバーコート層３０がこれらを打ち消すので、ＵＶ−Ａ（第１及び第２の実施の形態）又はＵＶ−C（第３の実施の形態）を照射されたとき、絵柄領域２０と背景領域２５とは同色として視認される。このことにより、発光画像１２のパターンが容易に解明されるのをさらに強固に防ぐことができる。よって、偽造防止媒体１０の偽造をより一層困難にすることができる。
【００９６】
変形例
なお本実施の形態において、第１蛍光インキ１３として、蛍光体ＤＥ−ＧＢを含むインキが用いられ、第２蛍光インキ１４として、蛍光体ＤＥ−ＧＲを含むインキが用いられる例を示した。すなわち、以下に示す表３における組合せ＿１のインキが用いられる例を示した。しかしながら、これに限られることはなく、第１蛍光インキ１３および第２蛍光インキ１４として、表３における組合せ＿２または組合せ＿３のインキを用いてもよい。組合せ＿２または組合せ＿３の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２のパターンが容易に解明されるのを防ぐことができ、このことにより、偽造防止媒体１０の偽造をより困難にすることができる。
なお表３において、「蛍光体」の列に示されている名称は、いずれも根本特殊化学における製品名を表している。
【表３】
0005699313.tif 000005
【００９７】
その他の変形例
また本実施の形態において、二色性蛍光体から第２蛍光インキ１４が構成される例を示した。しかしながら、これに限られることはなく、図１０乃至図１１Ｂに示す第２の実施の形態の場合と同様に、第２蛍光インキ１４が、単色性蛍光体から構成されていてもよい。この場合の第１蛍光インキ１３および第２蛍光インキ１４の組合せが特に限られることはなく、以下の表４に示すように、様々な組合せが適宜選択され得る。
なお表４において、「蛍光体」の列に示されている名称は、いずれも根本特殊化学における製品名を表している。
【表４】
0005699313.tif 000006
【００９８】
また本実施の形態において、絵柄領域２０が第１蛍光インキ１３を用いて形成され、背景領域２５が第２蛍光インキ１４を用いて形成される例を示した。しかしながら、これに限られることはなく、第２蛍光インキ１４を用いて絵柄領域２０を形成し、第１蛍光インキ１３を用いて背景領域２５を形成してもよい。この場合も、絵柄領域２０と背景領域２５とにより構成される発光画像１２のパターンは、ＵＶ−Ｃを照射されたときには視認されず、ＵＶ−Ａを照射されてはじめて視認される。このことにより、偽造防止媒体１０の偽造を困難にすることができる。
【００９９】
また本実施の形態において、図７乃至図９Ｂに示す第１の実施の形態の変形例の場合と同様に、第１蛍光インキ１３および第２蛍光インキ１４を同一の所定パターンで基材１１上に印刷することにより、絵柄領域２０および背景領域２５を形成してもよい。
【０１００】
次に、第４から第６の実施の形態として、発光画像がマイクロ文字により形成されている例について説明する。
【０１０１】
第４の実施の形態
以下、図１５乃至図１７Ｂを参照して、本発明の第４の実施の形態について説明する。図１５乃至図１７Ｂに示す第４の実施の形態は、発光画像がマイクロ文字により構成されている点が異なるのみであり、他の構成は、図１乃至図９Ｂに示す第１の実施の形態と略同一である。第１蛍光インキおよび第２蛍光インキは、第１の実施の形態の第１蛍光インキおよび第２蛍光インキと同一である。図１５乃至図１７Ｂに示す第４の実施の形態において、図１乃至図９Ｂに示す第１の実施の形態と同一部分には同一符号を付して詳細な説明は省略する。
【０１０２】
発光画像
まず、図１５および図１６を参照して、発光画像１２について詳細に説明する。図１５は、可視光下での発光画像１２を拡大して示す平面図であり、図１６は、図１５に示す発光画像１２のＡ−Ａ線に沿った断面図である。
【０１０３】
発光画像１２は、複数の第１絵柄要素２００と、複数の第２絵柄要素２５０と、を有する。図１５に示す例において、第１絵柄要素２００及び第２絵柄要素２５０は、それぞれ「Ｄ」、「Ｎ」及び「Ｐ」というマイクロ文字を構成している。これらのマイクロ文字の組「ＤＮＰ」がｘ方向に１０組並んで、マイクロ文字列ｍを形成している。マイクロ文字列ｍは、ｙ方向に１２個並んでいる。第１絵柄要素２００はマイクロ文字列上の潜像を形成している。ここでは、潜像は「A」という文字である。
複数のマイクロ文字列ｍにおける１つのマイクロ文字の大きさは、３００μｍ角以下であることが好ましく、ここでは、例えば２００μｍ角である。複数のマイクロ文字列ｍにおけるｘ方向に隣り合うマイクロ文字の間隔ｄ１と、ｙ方向に隣り合うマイクロ文字の間隔ｄ２とは、それぞれ１００μｍ以下であることが好ましい。ここでは、例えば、間隔ｄ１は５０μｍであり、間隔ｄ２は１００μｍである。
ここで、人間の目の裸眼における分解能は、視力と対象物までの距離により異なるが、例えば視力１．５の人間が明視距離２５０ｍｍにおいて識別できる解像限界は、
250*tan(1/1.5/60)*2 = 0.1 (mm)
となる。
ここでいう解像限界とは、隣り合う２つの点を、２つの点として識別できる距離をいう。
文字の大きさを３００μｍ角以下とした場合、多くの文字において文字を構成する線の間隔は１００μｍ程度となり、通常肉眼では文字として識別することができない。
また、文字の間隔を１００μｍ以下とした場合、隣り合う文字を異なる文字として識別することができない。
【０１０４】
図１６に示すように、発光画像１２の第１絵柄要素２００および第２絵柄要素２５０は、基材１１上に第１蛍光インキ１３および第２蛍光インキ１４を印刷することにより形成されている。
オーバーコート層３０は、基材１１、第１絵柄要素２００および第２絵柄要素２５０上に、オーバーコートインキを、例えばスクリーン印刷することにより形成されている。オーバーコート層３０は、表面がほぼ平坦に形成されている。
【０１０５】
第１蛍光インキ１３、第２蛍光インキ１４及びオーバーコート層３０の厚みは、第１の実施の形態と同様である。第４から第６の実施の形態において、オーバーコート層３０の厚みは、第１絵柄要素２００および第２絵柄要素２５０上部における厚みを表す。
【０１０６】
前述のように、第１蛍光インキ１３および第２蛍光インキ１４は、第１の実施の形態で説明した第１蛍光インキ１３および第２蛍光インキ１４と同一である。また、オーバーコート層３０は、ほぼ無色透明である。
従って、可視光下で発光画像１２を見た場合、図１５に示すように、第１絵柄要素２００として白色第１絵柄要素２１ａが視認され、第２絵柄要素２５０として白色第２絵柄要素２６ａが視認される。また上述のように、本実施の形態における基材１１は、白色のポリエチレンテレフタレートから形成されている。このため、可視光下において、基材１１と、発光画像１２の第１絵柄要素２００および第２絵柄要素２５０とは全て白色のものとして視認される。従って、可視光下において発光画像１２の第１絵柄要素２００の潜像（パターン）が現れることはない。このことにより、発光画像１２を有する偽造防止媒体１０が容易に偽造されるのが防がれている。
なお、図１５において、各第１絵柄要素２００を示す線１５０ａ、各第２絵柄要素２５０を示す線１５０ｂ、および、発光画像１２を示す線１５０ｃは、便宜上描かれているものである。可視光下において、線１５０ａ、線１５０ｂまたは線１５０ｃは実際には視認されない。
【０１０７】
次に、このような構成からなる本実施の形態の作用について説明する。ここでは、はじめに、偽造防止媒体１０を作製する方法について説明する。次に、偽造防止媒体１０からなる有価証券が正規のものであるかどうかを検査する方法について説明する。
【０１０８】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、第１絵柄要素２００および第２絵柄要素２５０からなる発光画像を形成する。
【０１０９】
この際、第１蛍光インキ１３および第２蛍光インキ１４としては、前述のように、第１の実施の形態の第１蛍光インキ１３および第２蛍光インキ１４が用いられる。
【０１１０】
次に、オーバーコートインキを用いて、基材１１、第１絵柄要素２００および第２絵柄要素２５０上に、例えば、厚み２μｍのオーバーコート層３０をスクリーン印刷により形成する。この際、オーバーコートインキとしては、第１の実施の形態のオーバーコートインキが用いられる。
【０１１１】
確認方法
次に、図１５、図１７Ａおよび図１７Ｂを参照して、偽造防止媒体１０からなる有価証券が正規のものであるかどうかを検査（確認）する方法について説明する。
【０１１２】
（可視光照射時）
はじめに、可視光下での偽造防止媒体１０を観察する。この場合、上述のように、基材１１、発光画像１２の第１絵柄要素２００および第２絵柄要素２５０はそれぞれ白色のものとして視認される（図１５参照）。このため、可視光下においては、発光画像１２の第１絵柄要素２００の潜像は現れない。
【０１１３】
（ＵＶ−Ａ照射時）
次に、ＵＶ−Ａ照射時の偽造防止媒体１０を観察する。照射されるＵＶ−Ａとしては、例えば、波長３６５ｎｍの紫外線が用いられる。ＵＶ−Ａは、オーバーコート層３０を透過して、第１絵柄要素２００を形成する第１蛍光インキ１３と、第２絵柄要素２５０を形成する第２蛍光インキ１４とに到達する。
【０１１４】
図１７Ａは、ＵＶ−Ａ照射時の偽造防止媒体１０の発光画像１２を示す平面図である。第１絵柄要素２００を形成する第１蛍光インキ１３は蛍光体ＤＥ−ＲＢを含んでおり、このため、第１蛍光インキ１３は青色光を発光する。従って、第１絵柄要素２００が青色部分２１ｂとして視認される。一方、第２絵柄要素２５０を形成する第２蛍光インキ１４は蛍光体ＤＥ−ＧＢを含んでおり、このため、第２蛍光インキ１４は青色光を発光する。従って、第２絵柄要素２５０も青色部分２６ｂとして視認される。ここで、第１絵柄要素２００の第１蛍光インキ１３と第２絵柄要素２５０の第２蛍光インキ１４との間に厚みや表面の粗さの違いが存在していても、オーバーコート層３０がこれらを打ち消すので、青色部分２１ｂと青色部分２６ｂとが同色として視認される。このように、ＵＶ−Ａ照射時において、第１絵柄要素２００および第２絵柄要素２５０は、同色のマイクロ文字として視認される。従って、ＵＶ−Ａ照射時において、発光画像１２の第１絵柄要素２００の潜像はマイクロ文字列ｍ上で埋没していて現れない。
【０１１５】
（ＵＶ−Ｃ照射時）
次に、ＵＶ−Ｃ照射時の偽造防止媒体１０を観察する。照射されるＵＶ−Ｃとしては、例えば、波長２５４ｎｍの紫外線が用いられる。ＵＶ−Cは、オーバーコート層３０を透過して、第１絵柄要素２００を形成する第１蛍光インキ１３と、第２絵柄要素２５０を形成する第２蛍光インキ１４とに到達する。
【０１１６】
図１７Ｂは、ＵＶ−Ｃ照射時の偽造防止媒体１０の発光画像１２を示す平面図である。第１絵柄要素２００を形成する第１蛍光インキ１３は蛍光体ＤＥ−ＲＢを含んでおり、このため、第１蛍光インキ１３は赤色光を発光する。従って、第１絵柄要素２００が赤色部分２１ｃとして視認される。一方、第２絵柄要素２５０を形成する第２蛍光インキ１４は蛍光体ＤＥ−ＧＢを含んでおり、このため、第２蛍光インキ１４は緑色光を発光する。従って、第２絵柄要素２５０は緑色部分２６ｃとして視認される。このように、ＵＶ−Ｃ照射時において、第１絵柄要素２００および第２絵柄要素２５０は、異なった色のマイクロ文字として視認される。従って、ＵＶ−Ｃ照射時において、発光画像１２の第１絵柄要素２００からなる、マイクロ文字列ｍ上の潜像が発現して視認される。前述のように、ここでは、「A」という文字の潜像が視認される。
【０１１７】
可視光、ＵＶ−ＡまたはＵＶ−Ｃが照射された場合に第１絵柄要素２００および第２絵柄要素２５０の色が上述のように変化するのを検査することにより、偽造防止媒体１０からなる有価証券が正規のものであることが確認される。
【０１１８】
変形例
なお本実施の形態において、１つのマイクロ文字は第１絵柄要素２００又は第２絵柄要素２５０のいずれかで構成されている例を示した。しかしながら、これに限られることはなく、１つのマイクロ文字は第１絵柄要素２００及び第２絵柄要素２５０の両方を含んでいても良い。以下、図１８Ａ乃至図１９Ｂを参照して、１つのマイクロ文字が第１絵柄要素２００及び第２絵柄要素２５０を含んでいる例について説明する。
【０１１９】
図１８Ａは、本変形例において、可視光下における偽造防止媒体１０の発光画像１２を示す平面図であり、図１８Ｂは、図１８Ａに示す発光画像１２のＢ−Ｂ線に沿った断面図である。図１８Ａおよび図１８Ｂに示すように、本変形例においては、複数のマイクロ文字の一部について、１つのマイクロ文字が第１絵柄要素２００及び第２絵柄要素２５０を含んでいる。オーバーコート層３０は、基材１１、第１絵柄要素２００および第２絵柄要素２５０上に、オーバーコートインキにより形成されている。
【０１２０】
次に、図１８Ａ、図１９Ａおよび図１９Ｂを参照して、本変形例において、偽造防止媒体１０からなる有価証券が正規のものであるかどうかを検査する方法について説明する。
【０１２１】
（可視光照射時）
可視光下においては、図１８Ａに示すように、第１絵柄要素２００および第２絵柄要素２５０はそれぞれ、白色部分２１ａ，２６ａから形成されている。このため、可視光下においては、発光画像１２の第１絵柄要素２００の潜像は現れない。
【０１２２】
（ＵＶ−Ａ照射時）
図１９Ａは、ＵＶ−Ａ照射時の偽造防止媒体１０の発光画像１２を示す平面図である。第１絵柄要素２００および第２絵柄要素２５０はそれぞれ、青色部分２１ｂ，２６ｂから形成されている。ここで、第１絵柄要素２００と第２絵柄要素２５０との間に厚みや表面の粗さの違いが存在していても、オーバーコート層３０がこれらを打ち消すので、青色部分２１ｂと青色部分２６ｂとが同色として視認される。このため、ＵＶ−Ａ照射時において、発光画像１２の第１絵柄要素２００の潜像は現れない。
【０１２３】
（ＵＶ−Ｃ照射時）
図１９Ｂは、ＵＶ−Ｃ照射時の偽造防止媒体１０の発光画像１２を示す平面図である。第１絵柄要素２００および第２絵柄要素２５０はそれぞれ、赤色部分２１ｃおよび緑色部分２６ｃから形成されている。このため、ＵＶ−Ｃ照射時において、発光画像１２の第１絵柄要素２００の潜像が視認される。
【０１２４】
本変形例によれば、複数のマイクロ文字の一部について、１つのマイクロ文字が第１絵柄要素２００及び第２絵柄要素２５０を含むようにしたので、ＵＶ−Ｃ照射時に、第４の実施の形態よりも輪郭が滑らかな第１絵柄要素２００の潜像を視認することができる。これにより、ＵＶ−Ｃ照射時に、より容易に潜像の形状を認識できる。
また、第４の実施の形態と同様の効果も得られる。
【０１２５】
その他の変形例
また本実施の形態において、第１蛍光インキ１３として、蛍光体ＤＥ−ＲＢを含むインキが用いられ、第２蛍光インキ１４として、蛍光体ＤＥ−ＧＢを含むインキが用いられる例を示した。すなわち、第１の実施の形態に示した表１における組合せ＿１のインキが用いられる例を示した。しかしながら、これに限られることはなく、第１蛍光インキ１３および第２蛍光インキ１４として、表１における組合せ＿２または組合せ＿３のインキを用いてもよい。組合せ＿２または組合せ＿３の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２の潜像が容易に解明されるのを防ぐことができ、このことにより、偽造防止媒体１０の偽造をより困難にすることができる。
【０１２６】
また本実施の形態において、第１絵柄要素２００が第１蛍光インキ１３を用いて形成され、第２絵柄要素２５０が第２蛍光インキ１４を用いて形成される例を示した。しかしながら、これに限られることはなく、第２蛍光インキ１４を用いて第１絵柄要素２００を形成し、第１蛍光インキ１３を用いて第２絵柄要素２５０を形成してもよい。この場合も、第１絵柄要素２００の潜像は、ＵＶ−Ａを照射されたときには視認されず、ＵＶ−Ｃを照射されてはじめて視認される。このことにより、偽造防止媒体１０の偽造を困難にすることができる。
【０１２７】
第５の実施の形態
次に、図２０Ａ及び図２０Ｂを参照して、本発明の第５の実施の形態について説明する。図２０Ａ及び図２０Ｂに示す第５の実施の形態は、ＵＶ−Ｃを照射されたとき光を発光しないインキから第２蛍光インキが構成される点が異なるのみであり、他の構成は、図１５乃至図１７Ｂに示す第４の実施の形態と略同一である。第１蛍光インキおよび第２蛍光インキは、第２の実施の形態の第１蛍光インキおよび第２蛍光インキと同一である。図２０Ａ及び図２０Ｂに示す第５の実施の形態において、図１５乃至図１７Ｂに示す第４の実施の形態と同一部分には同一符号を付して詳細な説明は省略する。
【０１２８】
次に、本実施の形態の作用について説明する。ここでは、はじめに、偽造防止媒体１０を作製する方法について説明する。次に、偽造防止媒体１０からなる有価証券が正規のものであるかどうかを検査する方法について説明する。
【０１２９】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、第１絵柄要素２００および第２絵柄要素２５０からなる発光画像を形成する。
【０１３０】
この際、第１蛍光インキ１３および第２蛍光インキ１４としては、前述のように、第２の実施の形態の第１蛍光インキ１３および第２蛍光インキ１４が用いられる。
【０１３１】
次に、オーバーコートインキを用いて、基材１１、第１絵柄要素２００および第２絵柄要素２５０上に、例えば、厚み２μｍのオーバーコート層３０を形成する。この際、オーバーコートインキとしては、第１の実施の形態のオーバーコートインキが用いられる。
【０１３２】
確認方法
次に、図２０Ａおよび図２０Ｂを参照して、偽造防止媒体１０からなる有価証券が正規のものであるかどうかを検査（確認）する方法について説明する。
【０１３３】
（ＵＶ−Ａ照射時）
図２０Ａは、ＵＶ−Ａ照射時の偽造防止媒体１０の発光画像１２を示す平面図である。第１絵柄要素２００を形成する第１蛍光インキ１３は蛍光体ＤＥ−ＲＢを含んでおり、このため、第１蛍光インキ１３は青色光を発光する。従って、第１絵柄要素２００が青色部分２１ｂとして視認される。一方、第２絵柄要素２５０を形成する第２蛍光インキ１４は蛍光体Ｄ−１１８４を含んでおり、このため、第２蛍光インキ１４は青色光を発光する。従って、第２絵柄要素２５０も青色部分２６ｂとして視認される。また、前述のように、第１絵柄要素２００と第２絵柄要素２５０との間に厚みや表面の粗さの違いが存在していても、オーバーコート層３０がこれらを打ち消すので、青色部分２１ｂと青色部分２６ｂとが同色として視認される。このように、ＵＶ−Ａ照射時において、第１絵柄要素２００および第２絵柄要素２５０は、同色のマイクロ文字として視認される。従って、ＵＶ−Ａ照射時において、発光画像１２の第１絵柄要素２００の潜像は現れない。
【０１３４】
（ＵＶ−Ｃ照射時）
図２０Ｂは、ＵＶ−Ｃ照射時の偽造防止媒体１０の発光画像１２を示す平面図である。第１絵柄要素２００を形成する第１蛍光インキ１３は蛍光体ＤＥ−ＲＢを含んでおり、このため、第１蛍光インキ１３は赤色光を発光する。従って、第１絵柄要素２００が赤色部分２１ｃとして視認される。一方、第２絵柄要素２５０を形成する第２蛍光インキ１４は、ＵＶ−Ｃ照射時に光を発光しないインキからなっており、従って、第２絵柄要素２５０は無色部分２６ｄとして視認される。従って、ＵＶ−Ｃ照射時において、発光画像１２の第１絵柄要素２００の潜像が視認される。
なお、図２０Ｂにおいては、便宜上、第２絵柄要素２５０のマイクロ文字「Ｄ」、「Ｎ」及び「Ｐ」を表す線が表示されているが、実際には視認されない。
【０１３５】
変形例
なお本実施の形態において、第１蛍光インキ１３として、蛍光体ＤＥ−ＲＢを含むインキが用いられ、第２蛍光インキ１４として、蛍光体Ｄ−１１８４を含むインキが用いられる例を示した。すなわち、第２の実施の形態に示した表２における組合せ＿１のインキが用いられる例を示した。しかしながら、これに限られることはなく、第１蛍光インキ１３および第２蛍光インキ１４として、表２における組合せ＿２乃至組合せ＿６のインキを用いてもよい。組合せ＿２乃至組合せ＿６の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２の潜像が容易に解明されるのを防ぐことができ、このことにより、偽造防止媒体１０の偽造をより困難にすることができる。
【０１３６】
また本実施の形態において、第１絵柄要素２００が第１蛍光インキ１３を用いて形成され、第２絵柄要素２５０が第２蛍光インキ１４を用いて形成される例を示した。しかしながら、これに限られることはなく、第２蛍光インキ１４を用いて第１絵柄要素２００を形成し、第１蛍光インキ１３を用いて第２絵柄要素２５０を形成してもよい。この場合も、第１絵柄要素２００と第２絵柄要素２５０とにより構成される発光画像１２の潜像は、ＵＶ−Ａを照射されたときには視認されず、ＵＶ−Ｃを照射されてはじめて視認される。このことにより、偽造防止媒体１０の偽造を困難にすることができる。
【０１３７】
第６の実施の形態
次に、図２１Ａ及び図２１Ｂを参照して、本発明の第６の実施の形態について説明する。図２１Ａ及び図２１Ｂに示す第６の実施の形態は、第１蛍光インキおよび第２蛍光インキが、ＵＶ−Ｃを照射されたとき同色または同色として視認される色の光を発光するよう選択される点が異なるのみであり、他の構成は、図１５乃至図１７Ｂに示す第４の実施の形態と略同一である。第１蛍光インキおよび第２蛍光インキは、第３の実施の形態の第１蛍光インキおよび第２蛍光インキと同一である。図２１Ａ及び図２１Ｂに示す第６の実施の形態において、図１５乃至図１７Ｂに示す第４の実施の形態と同一部分には同一符号を付して詳細な説明は省略する。
【０１３８】
本実施の形態の作用について説明する。ここでは、はじめに、偽造防止媒体１０を作製する方法について説明する。次に、偽造防止媒体１０からなる有価証券が正規のものであるかどうかを検査する方法について説明する。
【０１３９】
偽造防止媒体の作製方法
はじめに基材１１を準備する。基材１１としては、例えば、厚み１８８μｍの白色のポリエチレンテレフタレートからなる基材が用いられる。次に、第１蛍光インキ１３および第２蛍光インキ１４を用いて、基材１１上に、第１絵柄要素２００および第２絵柄要素２５０からなる発光画像を形成する。
【０１４０】
この際、第１蛍光インキ１３および第２蛍光インキ１４としては、前述のように、第３の実施の形態の第１蛍光インキ１３および第２蛍光インキ１４が用いられる。
【０１４１】
次に、オーバーコートインキを用いて、基材１１、第１絵柄要素２００および第２絵柄要素２５０上に、例えば、厚み２μｍのオーバーコート層３０を形成する。この際、オーバーコートインキとしては、第１の実施の形態のオーバーコートインキが用いられる。
【０１４２】
確認方法
次に、図２１Ａおよび図２１Ｂを参照して、偽造防止媒体１０からなる有価証券が正規のものであるかどうかを検査（確認）する方法について説明する。
【０１４３】
（ＵＶ−Ｃ照射時）
図２１Ａは、ＵＶ−Ｃ照射時の偽造防止媒体１０の発光画像１２を示す平面図である。第１絵柄要素２００を形成する第１蛍光インキ１３は蛍光体ＤＥ−ＧＢを含んでおり、このため、第１蛍光インキ１３は緑色光を発光する。従って、第１絵柄要素２００が緑色部分２２ｃとして視認される。一方、第２絵柄要素２５０を形成する第２蛍光インキ１４は蛍光体ＤＥ−ＧＲを含んでおり、このため、第２蛍光インキ１４は緑色光を発光する。従って、第２絵柄要素２５０も緑色部分２７ｃとして視認される。また、前述のように、第１絵柄要素２００と第２絵柄要素２５０との間に厚みや表面の粗さの違いが存在していても、オーバーコート層３０がこれらを打ち消すので、緑色部分２２ｃと緑色部分２７ｃとが同色として視認される。このように、ＵＶ−Ｃ照射時において、第１絵柄要素２００および第２絵柄要素２５０は、同色のマイクロ文字として視認される。従って、ＵＶ−Ｃ照射時において、発光画像１２の第１絵柄要素２００の潜像は現れない。
【０１４４】
（ＵＶ−Ａ照射時）
図２１Ｂは、ＵＶ−Ａ照射時の偽造防止媒体１０の発光画像１２を示す平面図である。第１絵柄要素２００を形成する第１蛍光インキ１３は蛍光体ＤＥ−ＧＢを含んでおり、このため、第１蛍光インキ１３は青色光を発光する。従って、第１絵柄要素２００が青色部分２２ｂとして視認される。一方、第２絵柄要素２５０を形成する第２蛍光インキ１４は蛍光体ＤＥ−ＧＲを含んでおり、このため、第２蛍光インキ１４は赤色光を発光する。従って、第２絵柄要素２５０は赤色部分２７ｂとして視認される。このように、ＵＶ−Ａ照射時において、第１絵柄要素２００および第２絵柄要素２５０は、異なった色のマイクロ文字として視認される。従って、ＵＶ−Ａ照射時において、発光画像１２の第１絵柄要素２００の潜像が視認される。
【０１４５】
このように上記第４から第６の各実施の形態によれば、偽造防止媒体１０は、基材１１と、第１蛍光体を含む第１蛍光インキ１３を用いて基材１１上に形成された複数の第１絵柄要素２００と、第２蛍光体を含む第２蛍光インキ１４を用いて基材１１上に形成された複数の第２絵柄要素２５０と、基材１１、第１絵柄要素２００および第２絵柄要素２５０上に形成されたオーバーコート層３０と、を備えている。複数の第１絵柄要素２００と複数の第２絵柄要素２５０は、複数のマイクロ文字「Ｄ」、「Ｎ」及び「Ｐ」を形成している。複数のマイクロ文字は、複数のマイクロ文字列ｍを形成すると共に、第１絵柄要素２００はマイクロ文字列ｍ上の潜像を形成している。オーバーコート層３０は、ＵＶ−ＡとＵＶ−Ｃを透過する。第４および第５の実施の形態では、このうち第１蛍光インキ１３の第１蛍光体は、ＵＶ−Aを照射されたとき、青色（第１色）の光を発光し、ＵＶ−Cを照射されたとき、赤色（第２色）の光を発光する蛍光体ＤＥ−ＲＢからなっている。一方、第４の実施の形態では、第２蛍光インキ１４の第２蛍光体は、ＵＶ−Ａを照射されたとき、青色（第１色）または青色（第１色）と同色として視認される色の光を発光し、ＵＶ−Ｃを照射されたとき、緑色（第３色）の光を発光する蛍光体ＤＥ−ＧＢからなっている。また、第５の実施の形態では、第２蛍光インキ１４の第２蛍光体は、ＵＶ−Ａを照射されたとき、青色（第１色）または青色（第１色）と同色として視認される色の光を発光し、ＵＶ−Ｃを照射されたとき、光を発光しない蛍光体Ｄ−１１８４からなっている。また、第６の実施形態では、第１蛍光インキ１３の第１蛍光体は、ＵＶ−Ｃを照射されたとき、緑色（第１色）の光を発光し、ＵＶ−Ａを照射されたとき、青色（第２色）の光を発光する蛍光体ＤＥ−ＧＢからなっている。一方、第２蛍光インキ１４の第２蛍光体は、ＵＶ−Ｃを照射されたとき、緑色（第１色）または緑色（第１色）と同色として視認される色の光を発光し、ＵＶ−Ａを照射されたとき、赤色（第３色）の光を発光する蛍光体ＤＥ−ＧＲからなっている。このため、上記第４及び第５の各実施の形態によれば、第１絵柄要素２００と第２絵柄要素２５０とは、ＵＶ−Ａを照射されたときには判別されず、ＵＶ−Ｃを照射されてはじめて判別される。すなわち、第１絵柄要素２００の潜像は、ＵＶ−Ａを照射されたときにはマイクロ文字列ｍ上で埋没していて視認されず、ＵＶ−Ｃを照射されてはじめてマイクロ文字列ｍ上に発現して視認される。また、上記第６の実施の形態によれば、第１絵柄要素２００と第２絵柄要素２５０とは、ＵＶ−Ｃを照射されたときには判別されず、ＵＶ−Ａを照射されてはじめて判別される。すなわち、第１絵柄要素２００の潜像は、ＵＶ−Ｃを照射されたときにはマイクロ文字列ｍ上で埋没していて視認されず、ＵＶ−Ａを照射されてはじめてマイクロ文字列ｍ上に発現して視認される。
このように、二色性蛍光体を含むインキを用いて第１絵柄要素２００および第２絵柄要素２５０を形成することにより、単色性蛍光体を含むインキが用いられる場合に比べて、偽造防止媒体１０の偽造を困難にすることができる。また、肉眼によって、発光画像１２が正規のものかどうかを簡易かつ迅速に判別することが可能となる。
また、第１蛍光インキ１３の第１蛍光体および第２蛍光インキ１４の第２蛍光体を、ＵＶ−Ａ（第４及び第５の実施の形態）又はＵＶ−Ｃ（第６の実施の形態）を照射されたとき同色または同色として視認される色を発光するよう選択することにより、発光画像１２の潜像が容易に解明されるのを防ぐことができる。このことにより、偽造防止媒体１０の偽造をより困難にすることができる。
また、第４及び第５の実施の形態では、ＵＶ−Ａに比べて光源を準備するのが困難なＵＶ−Ｃが照射されてはじめて第１絵柄要素２００の潜像が現れるよう、第１蛍光インキ１３および第２蛍光インキ１４の第１蛍光体および第２蛍光体を選択することにより、第１絵柄要素２００の潜像が解明されるのをより強固に防ぐことができる。このことにより、偽造防止媒体１０の偽造をさらに困難にすることができる。
さらに、上記第４から第６の各実施の形態では、第１絵柄要素２００と第２絵柄要素２５０が複数のマイクロ文字列ｍを形成するようにしたので、第１絵柄要素２００と第２絵柄要素２５０の面積は、発光画像１２の領域の面積に比して狭い。また、第１絵柄要素２００及び第２絵柄要素２５０は、複雑な形状を有している。従って、第１絵柄要素２００と第２絵柄要素２５０との間に微小な色差又は厚みの差が存在していても、ＵＶ−Ａ（第４及び第５の実施の形態）又はＵＶ−Ｃ（第６の実施の形態）を照射されたときに、第１絵柄要素２００の潜像は視認され難い。つまり、発光画像１２の潜像が容易に解明されるのを防ぐことができる。このことにより、偽造防止媒体１０の偽造をさらに困難にすることができる。
また、上記第４から第６の各実施の形態では、第１絵柄要素２００と第２絵柄要素２５０とが接する部分が無い。つまり、第４及び第５の実施の形態では、ＵＶ−Ａ照射時に、第１絵柄要素２００の青色部分２１ｂと第２絵柄要素２５０の青色部分２６ｂとが接する部分が無い。第６の実施の形態では、ＵＶ−Ｃ照射時に、第１絵柄要素２００の緑色部分２２ｃと第２絵柄要素２５０の緑色部分２７ｃとが接する部分が無い。ここで、仮に第１絵柄要素２００と第２絵柄要素２５０とが接した場合、接する部分において不規則に反射または屈折する光が存在することがある。上記第４から第６の各実施の形態によれば、そのような光に起因して第１絵柄要素２００と第２絵柄要素２５０との間の境界が視認される可能性が無い。このことにより、第１絵柄要素２００の潜像が解明されるのをより強固に防ぐことができる。
さらに、第１絵柄要素２００と第２絵柄要素２５０との間に厚みや表面の粗さの違いが存在していても、オーバーコート層３０がこれらを打ち消すので、ＵＶ−Ａ（第４及び第５の実施の形態）又はＵＶ−Ｃ（第６の実施の形態）を照射されたとき、第１絵柄要素２００と第２絵柄要素２５０とは同色として視認される。このことにより、第１絵柄要素２００の潜像が容易に解明されるのをさらに強固に防ぐことができる。よって、偽造防止媒体１０の偽造をより一層困難にすることができる。
【０１４６】
変形例
なお本実施の形態において、第１蛍光インキ１３として、蛍光体ＤＥ−ＧＢを含むインキが用いられ、第２蛍光インキ１４として、蛍光体ＤＥ−ＧＲを含むインキが用いられる例を示した。すなわち、第３の実施の形態に示した表３における組合せ＿１のインキが用いられる例を示した。しかしながら、これに限られることはなく、第１蛍光インキ１３および第２蛍光インキ１４として、表３における組合せ＿２または組合せ＿３のインキを用いてもよい。組合せ＿２または組合せ＿３の場合であっても、組合せ＿１の場合と同様に、第１蛍光インキ１３および第２蛍光インキ１４は、ＵＶ−Ａを照射されたとき同色または同色として視認される色を発光するインキとなっている。このため、発光画像１２の潜像が容易に解明されるのを防ぐことができ、このことにより、偽造防止媒体１０の偽造をより困難にすることができる。
【０１４７】
その他の変形例
また本実施の形態において、二色性蛍光体から第２蛍光インキ１４が構成される例を示した。しかしながら、これに限られることはなく、図２０Ａ及び図２０Ｂに示す第５の実施の形態の場合と同様に、第２蛍光インキ１４が、単色性蛍光体から構成されていてもよい。この場合の第１蛍光インキ１３および第２蛍光インキ１４の組合せが特に限られることはなく、第３の実施の形態の表４に示すように、様々な組合せが適宜選択され得る。
【０１４８】
また本実施の形態において、第１絵柄要素２００が第１蛍光インキ１３を用いて形成され、第２絵柄要素２５０が第２蛍光インキ１４を用いて形成される例を示した。しかしながら、これに限られることはなく、第２蛍光インキ１４を用いて第１絵柄要素２００を形成し、第１蛍光インキ１３を用いて第２絵柄要素２５０を形成してもよい。この場合も、第１絵柄要素２００と第２絵柄要素２５０とにより構成される発光画像１２の潜像は、ＵＶ−Ｃを照射されたときには視認されず、ＵＶ−Ａを照射されてはじめて視認される。このことにより、偽造防止媒体１０の偽造を困難にすることができる。
【０１４９】
また上記第１から第６の各実施の形態において、第１蛍光インキ１３および第２蛍光インキ１４から発光される光の色が、青色、赤色または緑色のいずれかの色である例を示した。しかしながら、これに限られることはなく、第１波長領域内の不可視光を照射されたとき同色として視認され、第２波長領域内の不可視光を照射されたとき異色として視認される様々な組合せのインキをインキ１３，１４として用いることができる。
【０１５０】
また上記第１から第６の各実施の形態において、オーバーコート層３０は、ほぼ無色透明である例を示した。しかしながら、これに限られることはなく、可視光下と、第１波長領域内の不可視光を照射されたとき、絵柄領域２０および背景領域２５（第１絵柄要素２００および第２絵柄要素２５０）が同色の領域（マイクロ文字）として視認され、第２波長領域内の不可視光を照射されたとき絵柄領域２０および背景領域２５（第１絵柄要素２００および第２絵柄要素２５０）が異色の領域（マイクロ文字）として視認されれば、オーバーコート層３０は色を有していてもよい。
【０１５１】
また上記第１から第６の実施の形態において、第２波長領域内の不可視光が照射されたとき、第１蛍光体は、第２色の光を発光し、第２蛍光体は、第３色の光を発光し、または、光を発光せず、このため、第１蛍光体を含む絵柄領域２０および第２蛍光体を含む背景領域２５（第１蛍光体を含む第１絵柄要素２００および第２蛍光体を含む第２絵柄要素２５０）が、互いに異色の領域（絵柄要素）として視認される例を示した。しかしながら、これに限られることはない。
すなわち、第１波長領域内の不可視光が照射されたとき、第１蛍光体および第２蛍光体が、互いに同色として視認される色の光を発光し、かつ、第２波長領域内の不可視光が照射されたとき、第１蛍光体を含む絵柄領域２０および第２蛍光体を含む背景領域２５（第１蛍光体を含む第１絵柄要素２００および第２蛍光体を含む第２絵柄要素２５０）が、互いに異色の領域（絵柄要素）として視認される限りにおいて、第１蛍光体の発光色を任意に設定することが可能である。
例えば、第１波長領域内の不可視光が照射されたとき、第１色の光を発光するとともに、第２波長領域内の不可視光が照射されたときにも、第１色または第１色と同色として視認される色の光を発光する第１蛍光体が用いられてもよい。この場合、第１波長領域内の不可視光が照射されたとき、第１蛍光体は、第１色の光を発光し、第２蛍光体は、第１色または第１色と同色として視認される色の光を発光する。このため、絵柄領域２０および背景領域２５（第１絵柄要素２００および第２絵柄要素２５０）が、互いに同色の領域（絵柄要素）として視認される。一方、第２波長領域内の不可視光が照射されたとき、第１蛍光体は、第１色または第１色と同色として視認される色の光を発光し、前記第２蛍光体は、第３色の光を発光する、または、光を発光しない。このため、絵柄領域２０および背景領域２５（第１絵柄要素２００および第２絵柄要素２５０）が、互いに異色の領域（絵柄要素）として視認される。従って、上記第１から第３の実施の形態においては、絵柄領域２０と背景領域２５とにより構成される発光画像のパターンは、第１波長領域内の不可視光を照射されたときには視認されず、第２波長領域内の不可視光を照射されてはじめて視認される。これによって、簡易かつ迅速に発光画像の確認を行うことが可能となる。また、上記第４から第６の実施の形態においては、第１絵柄要素により構成される発光画像の潜像は、第１波長領域内の不可視光を照射されたときにはマイクロ文字列上で埋没していて視認されず、第２波長領域内の不可視光を照射されてはじめてマイクロ文字列上に発現して視認される。これによって、簡易かつ迅速に発光画像の確認を行うことができ、且つ、発光画像のパターンが容易に解明されるのを防ぐことができる。
【０１５２】
第７の実施の形態
上記各実施形態では、絵柄領域２０（第１絵柄要素２００）のパターン（潜像）は、ＵＶ−Ａ及びＵＶ−Ｃの一方を照射したときには視認されず、他方を照射されてはじめて視認されるものであったが、ＵＶ−Ａ照射、ＵＶ−Ｃ照射では視認されず、ＵＶ−ＡとＵＶ−Ｃの同時照射ではじめて視認されるようにすることもできる。
【０１５３】
このとき、第１蛍光インキ１３は、ＵＶ−Ａを照射されたとき、ピーク波長が約６１０ｎｍである赤色（第１色）の光を発し、ＵＶ−Ｃを照射されたとき、ピーク波長が約５２０ｎｍである緑色（第２色）の光を発する。また、第１蛍光インキ１３は、ＵＶ−ＡとＵＶ−Ｃを同時照射された場合、黄色（第５色）の光を発する。第１蛍光インキ１３には、例えば、上述の蛍光体ＤＥ−ＧＲを用いることができる。
【０１５４】
また、第２蛍光インキ１４は、ＵＶ−Ａを照射されたとき、ピーク波長（発光波長）が約６１５ｎｍである赤色（第３色）の光を発し、ＵＶ−Ｃを照射されたとき、ピーク波長が約５１５ｎｍである緑色（第４色）の光を発する。また、第２蛍光インキ１４は、ＵＶ−ＡとＵＶ−Ｃを同時照射された場合、黄色（第６色）の光を発する。第２蛍光インキ１４には、蛍光体ＤＥ−ＧＲとの発光波長差が５ｎｍ以下である蛍光媒体ＤＥ−ＧＲ１（根本特殊化学製）を用いることができる。すなわち、蛍光媒体ＤＥ−ＧＲ１は、短波長側の発光波長がＤＥ−ＧＲより約５ｎｍ小さく、長波長側の発光波長がＤＥ−ＧＲより約５ｎｍ大きい。
【０１５５】
ピーク波長が約６１０ｎｍである赤色（第１色）と、ピーク波長が約６１５ｎｍである赤色（第３色）は同色として視認される。また、ピーク波長が約５２０ｎｍである緑色（第２色）と、ピーク波長が約５１５ｎｍである緑色（第４色）は同色として視認される。
【０１５６】
一方、ＵＶ−ＡとＵＶ−Ｃを同時照射された場合に第１蛍光インキ１３が発する黄色（第５色）と、第２蛍光インキ１４が発する黄色（第６色）との色差ΔＥ＊ａｂは約１２となり、異色として視認される。
【０１５７】
第１蛍光インキ１３が蛍光媒体ＤＥ−ＧＲを含み、第２蛍光インキ１４が蛍光媒体ＤＥ−ＧＲ１を含むため、ＵＶ−Ａのみを照射する場合、絵柄領域２０および背景領域２５（第１絵柄要素２００および第２絵柄要素２５０）は、同色（赤色）の領域（マイクロ文字）として視認され、発光画像１２の絵柄領域２０（第１絵柄要素２００）のパターン（潜像）は現れない。ＵＶ−Ｃのみを照射する場合、絵柄領域２０および背景領域２５（第１絵柄要素２００および第２絵柄要素２５０）は、同色（緑色）の領域（マイクロ文字）として視認され、発光画像１２の絵柄領域２０（第１絵柄要素２００）のパターン（潜像）は現れない。ＵＶ−Ａ及びＵＶ−Ｃを同時照射する場合、絵柄領域２０および背景領域２５（第１絵柄要素２００および第２絵柄要素２５０）は、互いに異なる黄色の領域（マイクロ文字）として視認され、発光画像１２の絵柄領域２０（第１絵柄要素２００）のパターン（潜像）が視認される。
【０１５８】
すなわち、第１から第３の実施の形態と同様に発光画像１２を絵柄領域２０および背景領域２５で形成した場合、絵柄領域２０のパターンは、ＵＶ−Ａを照射されたとき、ＵＶ−Ｃを照射されたときには視認されず、ＵＶ−Ａ及びＵＶ−Ｃを同時照射されてはじめて視認される。
また、第４から第６の実施の形態と同様に発光画像１２をマイクロ文字で形成した場合、第１絵柄要素２００の潜像は、ＵＶ−Ａを照射されたとき、ＵＶ−Ｃを照射されたときにはマイクロ文字列ｍ上で埋没していて視認されず、ＵＶ−Ａ及びＵＶ−Ｃを同時照射されてはじめてマイクロ文字列ｍ上に発現して視認される。
【０１５９】
このように、絵柄領域２０（第１絵柄要素２００）を形成するインキに含まれる二色性蛍光体と、背景領域２５（第２絵柄要素２５０）を形成するインキに含まれる二色性蛍光体とを、発光波長差が５ｎｍ以下のものとすることで、偽造防止媒体１０の偽造をさらに困難にすることができる。
【０１６０】
さらに、発光画像１２の絵柄領域２０と背景領域２５（第１絵柄要素２００と第２絵柄要素２５０）との間に厚みや表面の粗さの違いが存在していても、オーバーコート層３０がこれらを打ち消すので、ＵＶ−Ａを照射されたとき、ＵＶ−Ｃを照射されたときに、絵柄領域２０と背景領域２５（第１絵柄要素２００と第２絵柄要素２５０）は同色として視認される。このことにより、発光画像１２のパターン（潜像）が容易に解明されるのをさらに強固に防ぐことができる。よって、偽造防止媒体１０の偽造をより一層困難にすることができる。
【０１６１】
さらに、第４から第６の実施の形態と同様に発光画像１２をマイクロ文字で形成した場合、第１絵柄要素２００と第２絵柄要素２５０が複数のマイクロ文字列ｍを形成するので、第１絵柄要素２００と第２絵柄要素２５０との間に微小な色差又は厚みの差が存在していても、ＵＶ−Ａを照射されたとき、ＵＶ−Ｃを照射されたときに、第１絵柄要素２００の潜像は視認され難い。つまり、発光画像１２の潜像が容易に解明されるのを防ぐことができるので、偽造防止媒体１０の偽造をさらに困難にすることができる。
【０１６２】
第１蛍光インキ１３に蛍光媒体ＤＥ−ＲＢを使用し、第２蛍光インキ１４に、蛍光体ＤＥ−ＲＢとの発光波長差が５ｎｍ以下である蛍光媒体ＤＥ−ＲＢ１（根本特殊化学製）を使用してもよい。この場合、ＵＶ−Ａ照射時は、絵柄領域２０および背景領域２５（第１絵柄要素２００および第２絵柄要素２５０）が同色（青色）と視認され、絵柄領域２０（第１絵柄要素２００）のパターン（潜像）は現れない。ＵＶ−Ｃ照射時は、絵柄領域２０および背景領域２５（第１絵柄要素２００および第２絵柄要素２５０）が同色（赤色）と視認され、絵柄領域２０（第１絵柄要素２００）のパターン（潜像）は現れない。ＵＶ−Ａ及びＵＶ−Ｃの同時照射時は、絵柄領域２０および背景領域２５（第１絵柄要素２００および第２絵柄要素２５０）が互いに異なるマゼンタ色の領域（マイクロ文字）と視認され、絵柄領域２０（第１絵柄要素２００）のパターン（潜像）が視認される。
【０１６３】
第１蛍光インキ１３に蛍光媒体ＤＥ−ＢＧを使用し、第２蛍光インキ１４に、蛍光体ＤＥ−ＢＧとの発光波長差が５ｎｍ以下である蛍光媒体ＤＥ−ＢＧ１（根本特殊化学製）を使用してもよい。この場合、ＵＶ−Ａ照射時は、絵柄領域２０および背景領域２５（第１絵柄要素２００および第２絵柄要素２５０）が同色（緑色）と視認され、絵柄領域２０（第１絵柄要素２００）のパターン（潜像）は現れない。ＵＶ−Ｃ照射時は、絵柄領域２０および背景領域２５（第１絵柄要素２００および第２絵柄要素２５０）が同色（青色）と視認され、絵柄領域２０（第１絵柄要素２００）のパターン（潜像）は現れない。ＵＶ−Ａ及びＵＶ−Ｃの同時照射時は、絵柄領域２０および背景領域２５（第１絵柄要素２００および第２絵柄要素２５０）が互いに異なるシアン色の領域（マイクロ文字）と視認され、絵柄領域２０（第１絵柄要素２００）のパターン（潜像）が視認される。
【０１６４】
第８の実施の形態
ＵＶ−Ａを照射したとき、及びＵＶ−Ｃを照射したときに、絵柄領域２０（第１絵柄要素２００）のパターン（潜像）が視認され、ＵＶ−ＡとＵＶ−Ｃの同時照射で絵柄領域２０（第１絵柄要素２００）のパターン（潜像）が消失する（視認されない）ようにすることもできる。
【０１６５】
例えば、第１蛍光インキ１３に上述の蛍光体ＤＥ−ＲＧを使用し、第２蛍光インキ１４に上述の蛍光体ＤＥ−ＧＲを使用して偽造防止媒体１０を形成する。このような偽造防止媒体１０は、可視光下では、全体が白色と視認され、絵柄領域２０（第１絵柄要素２００）のパターン（潜像）は現れない。
【０１６６】
この偽造防止媒体１０に対して、ＵＶ−Ａのみを照射すると、絵柄領域２０（第１絵柄要素２００）を形成する第１蛍光インキ１３（蛍光体ＤＥ−ＲＧ）が緑色光を発光する。一方、背景領域２５（第２絵柄要素２５０）を形成する第２蛍光インキ１４（蛍光体ＤＥ−ＧＲ）は赤色光を発光する。従って、絵柄領域２０および背景領域２５（第１絵柄要素２００及び第２絵柄要素２５０）は異なった色の領域（マイクロ文字）として視認される。従って、第１から第３の実施の形態と同様に発光画像１２を絵柄領域２０および背景領域２５で形成した場合、ＵＶ−Ａ照射時において、発光画像１２の絵柄領域２０のパターンが視認される。また、第４から第６の実施の形態と同様に発光画像１２をマイクロ文字で形成した場合、ＵＶ−Ａ照射時において、発光画像１２の第１絵柄要素２００の潜像がマイクロ文字列ｍ上に発現して視認される。
【０１６７】
この偽造防止媒体１０に対して、ＵＶ−Ｃのみを照射すると、絵柄領域２０（第１絵柄要素２００）を形成する第１蛍光インキ１３（蛍光体ＤＥ−ＲＧ）が赤色光を発光する。一方、背景領域２５（第２絵柄要素２５０）を形成する第２蛍光インキ１４（蛍光体ＤＥ−ＧＲ）は緑色光を発光する。従って、絵柄領域２０および背景領域２５（第１絵柄要素２００及び第２絵柄要素２５０）は異なった色の領域（マイクロ文字）として視認される。従って、ＵＶ−Ｃ照射時において、発光画像１２の絵柄領域２０（第１絵柄要素２００）のパターン（潜像）が視認される。
【０１６８】
この偽造防止媒体１０に対して、ＵＶ−Ａ及びＵＶ−Ｃを同時照射すると、絵柄領域２０（第１絵柄要素２００）を形成する第１蛍光インキ１３（蛍光体ＤＥ−ＲＧ）が黄色光を発光する。一方、背景領域２５（第２絵柄要素２５０）を形成する第２蛍光インキ１４（蛍光体ＤＥ−ＧＲ）も黄色光を発光する。従って、絵柄領域２０および背景領域２５（第１絵柄要素２００及び第２絵柄要素２５０）は同じ色の領域（マイクロ文字）として視認される。従って、第１から第３の実施の形態と同様に発光画像１２を絵柄領域２０および背景領域２５で形成した場合、ＵＶ−Ａ及びＵＶ−Ｃの同時照射時において、発光画像１２の絵柄領域２０のパターンは現れない。また、第４から第６の実施の形態と同様に発光画像１２をマイクロ文字で形成した場合、ＵＶ−Ａ及びＵＶ−Ｃの同時照射時において、発光画像１２の第１絵柄要素２００の潜像はマイクロ文字列ｍ上で埋没していて現れない。
【０１６９】
このように、ＵＶ−Ａ照射時、ＵＶ−Ｃ照射時、ＵＶ−Ａ及びＵＶ−Ｃの同時照射時の３つの照射パターンの各々で発光画像１２が変化し、ＵＶ−Ａ及びＵＶ−Ｃの同時照射時には絵柄領域２０（第１絵柄要素２００）のパターン（潜像）が現れないとすることで、偽造防止媒体１０の偽造をさらに困難にすることができる。
【０１７０】
さらに、発光画像１２の絵柄領域２０と背景領域２５（第１絵柄要素２００と第２絵柄要素２５０）との間に厚みや表面の粗さの違いが存在していても、オーバーコート層３０がこれらを打ち消すので、ＵＶ−Ａ及びＵＶ−Ｃの同時照射時に、絵柄領域２０と背景領域２５（第１絵柄要素２００と第２絵柄要素２５０）は同色として視認される。このことにより、より確実に、３つの照射パターンの各々で発光画像１２が変化するようにできる。よって、偽造防止媒体１０の偽造をさらに困難にすることができる。
【０１７１】
さらに、第４から第６の実施の形態と同様に発光画像１２をマイクロ文字で形成した場合、第１絵柄要素２００と第２絵柄要素２５０が複数のマイクロ文字列ｍを形成するので、第１絵柄要素２００と第２絵柄要素２５０との間に微小な色差又は厚みの差が存在していても、ＵＶ−Ａ及びＵＶ−Ｃの同時照射時に第１絵柄要素２００の潜像は視認され難い。このことにより、より確実に、３つの照射パターンの各々で発光画像１２が変化するようにできる。よって、偽造防止媒体１０の偽造をさらに困難にすることができる。
【０１７２】
第１蛍光インキ１３に蛍光媒体ＤＥ−ＲＢを使用し、第２蛍光インキ１４に蛍光媒体ＤＥ−ＢＲを使用してもよい。この場合、ＵＶ−Ａ照射時は、絵柄領域２０（第１絵柄要素２００）を形成する第１蛍光インキ１３（蛍光体ＤＥ−ＲＢ）が青色光を発光し、背景領域２５（第２絵柄要素２５０）を形成する第２蛍光インキ１４（蛍光体ＤＥ−ＢＲ）は赤色光を発光する。従って、絵柄領域２０および背景領域２５（第１絵柄要素２００及び第２絵柄要素２５０）は異なった色の領域（マイクロ文字）として視認され、発光画像１２の絵柄領域２０（第１絵柄要素２００）のパターン（潜像）が視認される。ＵＶ−Ｃ照射時は、絵柄領域２０（第１絵柄要素２００）を形成する第１蛍光インキ１３（蛍光体ＤＥ−ＲＢ）が赤色光を発光し、背景領域２５（第２絵柄要素２５０）を形成する第２蛍光インキ１４（蛍光体ＤＥ−ＢＲ）は青色光を発光する。従って、絵柄領域２０および背景領域２５（第１絵柄要素２００及び第２絵柄要素２５０）は異なった色の領域（マイクロ文字）として視認され、発光画像１２の絵柄領域２０（第１絵柄要素２００）のパターン（潜像）が視認される。ＵＶ−Ａ及びＵＶ−Ｃの同時照射時は、絵柄領域２０および背景領域２５（第１絵柄要素２００および第２絵柄要素２５０）が共にマゼンタ色の同色領域（マイクロ文字）と視認され、絵柄領域２０（第１絵柄要素２００）のパターン（潜像）は現れない。
【０１７３】
第１蛍光インキ１３に蛍光媒体ＤＥ−ＢＧを使用し、第２蛍光インキ１４に蛍光媒体ＤＥ−ＧＢを使用してもよい。この場合、ＵＶ−Ａ照射時は、絵柄領域２０（第１絵柄要素２００）を形成する第１蛍光インキ１３（蛍光体ＤＥ−ＢＧ）が緑色光を発光し、背景領域２５（第２絵柄要素２５０）を形成する第２蛍光インキ１４（蛍光体ＤＥ−ＧＢ）は青色光を発光する。従って、絵柄領域２０および背景領域２５（第１絵柄要素２００および第２絵柄要素２５０）は異なった色の領域（マイクロ文字）として視認され、発光画像１２の絵柄領域２０（第１絵柄要素２００）のパターン（潜像）が視認される。ＵＶ−Ｃ照射時は、絵柄領域２０（第１絵柄要素２００）を形成する第１蛍光インキ１３（蛍光体ＤＥ−ＢＧ）が青色光を発光し、背景領域２５（第２絵柄要素２５０）を形成する第２蛍光インキ１４（蛍光体ＤＥ−ＧＢ）は緑色光を発光する。従って、絵柄領域２０および背景領域２５（第１絵柄要素２００および第２絵柄要素２５０）は異なった色の領域（マイクロ文字）として視認され、発光画像１２の絵柄領域２０（第１絵柄要素２００）のパターン（潜像）が視認される。ＵＶ−Ａ及びＵＶ−Ｃの同時照射時は、絵柄領域２０および背景領域２５（第１絵柄要素２００および第２絵柄要素２５０）が共にシアン色の同色領域（マイクロ文字）と視認され、絵柄領域２０（第１絵柄要素２００）の潜像は現れない。
【０１７４】
さらに、第１蛍光インキ１３に蛍光体ＤＥ−ＲＧを使用し、第２蛍光インキ１４に蛍光体ＤＥ−ＧＲを使用する場合、基材１１上に黄色のインクをオフセット印刷し、その上に第１蛍光インキ１３及び第２蛍光インキ１４をオフセット印刷してもよい。同様に、第１蛍光インキ１３に蛍光媒体ＤＥ−ＲＢを使用し、第２蛍光インキ１４に蛍光媒体ＤＥ−ＢＲを使用する場合、基材１１上にマゼンタ色のインクをオフセット印刷し、その上に第１蛍光インキ１３及び第２蛍光インキ１４をオフセット印刷してもよい。また、同様に、第１蛍光インキ１３に蛍光媒体ＤＥ−ＢＧを使用し、第２蛍光インキ１４に蛍光媒体ＤＥ−ＧＢを使用する場合、基材１１上にシアン色のインクをオフセット印刷し、その上に第１蛍光インキ１３及び第２蛍光インキ１４をオフセット印刷してもよい。このようにすることで、ＵＶ−Ａ及びＵＶ−Ｃの同時照射時に、発光画像１２全体が単一色の画像として視認され易くなる。
【０１７５】
なお、上記第５から第８の各実施の形態において、図１８Ａ乃至図１９Ｂに示す第４の実施の形態の変形例の場合と同様に、１つのマイクロ文字が第１絵柄要素２００及び第２絵柄要素２５０を含むように形成してもよい。
【０１７６】
また上記第１から第８の各実施の形態において、第１蛍光インキ１３および第２蛍光インキ１４として、ＵＶ−ＡまたはＵＶ−Ｃに対する励起特性を有するインキが用いられる例を示した。しかしながら、これに限られることはなく、第１蛍光インキ１３および第２蛍光インキ１４として、ＵＶ−Ｂまたは赤外線に対する励起特性を有するインキを用いてもよい。すなわち、本発明における「第１波長領域内の不可視光」または「第２波長領域内の不可視光」として、任意の波長領域内の不可視光を用いることができる。
【０１７７】
また上記第１から第３、第７及び第８の各実施の形態において、背景領域２５の少なくとも一部が絵柄領域２０に隣接していればよい。
【０１７８】
また上記第１から第８の各実施の形態において、可視光下で、絵柄領域２０および背景領域２５（第１絵柄要素２００および第２絵柄要素２５０）がそれぞれ白色のものとして視認される例を示した。しかしながら、これに限られることはなく、少なくとも可視光下で絵柄領域２０および背景領域２５（第１絵柄要素２００および第２絵柄要素２５０）が同色の領域（マイクロ文字）として視認されればよい。
【０１７９】
また上記第４から第８の各実施の形態において、潜像は図形等でもよい。
【０１８０】
また上記第７及び第８の各実施の形態において、第１波長領域内の不可視光または第２波長領域内の不可視光が単独で照射されたときに第１蛍光インキ１３および第２蛍光インキ１４から発光される光の色が、青色、赤色または緑色のいずれかの色である例を示した。しかしながら、これに限られることはなく、第７の実施の形態では、第１波長領域内の不可視光または第２波長領域内の不可視光が単独で照射されたとき同色として視認され、第１波長領域内の不可視光および第２波長領域内の不可視光が同時に照射されたとき異色として視認される様々な組合せのインキをインキ１３，１４として用いることができる。また、第８の実施の形態では、第１波長領域内の不可視光または第２波長領域内の不可視光が単独で照射されたとき異色として視認され、第１波長領域内の不可視光および第２波長領域内の不可視光が同時に照射されたとき同色として視認される様々な組合せのインキをインキ１３，１４として用いることができる。
【０１８１】
また上記第７の実施の形態において、可視光下と、第１波長領域内の不可視光または第２波長領域内の不可視光が単独で照射されたとき、絵柄領域２０および背景領域２５（第１絵柄要素２００および第２絵柄要素２５０）が同色の領域（マイクロ文字）として視認され、第１波長領域内の不可視光および第２波長領域内の不可視光が同時に照射されたとき、異色の領域（マイクロ文字）として視認されれば、オーバーコート層３０は色を有していてもよい。
また上記第８の実施の形態において、可視光下と、第１波長領域内の不可視光または第２波長領域内の不可視光が単独で照射されたとき、絵柄領域２０および背景領域２５（第１絵柄要素２００および第２絵柄要素２５０）が異色の領域（マイクロ文字）として視認され、第１波長領域内の不可視光および第２波長領域内の不可視光が同時に照射されたとき、同色の領域（マイクロ文字）として視認されれば、オーバーコート層３０は色を有していてもよい。
【０１８２】
また上記第１から第８の各実施の形態において、本発明の発光媒体が、有価証券などを構成する偽造防止媒体として用いられる例を示した。しかしながら、これに限られることはなく、様々な用途において本発明の発光媒体を用いることができる。例えば玩具などの用途においても、本発明の発光媒体を用いることができる。この場合も、第１波長領域内および第２波長領域内の少なくとも何れかの不可視光を照射されて変化する絵柄領域および背景領域（第１絵柄要素および第２絵柄要素）からなる発光画像により、玩具などに様々な機能や特質を付与することができる。
【符号の説明】
【０１８３】
１０    偽造防止媒体
１１    基材
１２    発光画像
１３    第１蛍光インキ
１４    第２蛍光インキ
１５ａ  第１境界線
１５ｂ  第２境界線
２０    絵柄領域
２１ａ  白色部分
２１ｂ  青色部分
２１ｃ  赤色部分
２２ｂ  青色部分
２２ｃ  緑色部分
２５    背景領域
２６ａ  白色部分
２６ｂ  青色部分
２６ｃ  緑色部分
２６ｄ  無色部分
２７ｂ  赤色部分
２７ｃ  緑色部分
３０  オーバーコート層
１５０ａ，１５０ｂ，１５０ｃ  線
２００  第１絵柄要素
２５０  第２絵柄要素
【図１】
0005699313.tif 000007
【図２】
0005699313.tif 000008
【図３】
0005699313.tif 000009
【図４Ａ】
0005699313.tif 000010
【図４Ｂ】
0005699313.tif 000011
【図５】
0005699313.tif 000012
【図６Ａ】
0005699313.tif 000013
【図６Ｂ】
0005699313.tif 000014
【図６Ｃ】
0005699313.tif 000015
【図７】
0005699313.tif 000016
【図８】
0005699313.tif 000017
【図９Ａ】
0005699313.tif 000018
【図９Ｂ】
0005699313.tif 000019
【図１０】
0005699313.tif 000020
【図１１Ａ】
0005699313.tif 000021
【図１１Ｂ】
0005699313.tif 000022
【図１２Ａ】
0005699313.tif 000023
【図１２Ｂ】
0005699313.tif 000024
【図１３】
0005699313.tif 000025
【図１４Ａ】
0005699313.tif 000026
【図１４Ｂ】
0005699313.tif 000027
【図１６】
0005699313.tif 000028
【図１７Ａ】
0005699313.tif 000029
【図１７Ｂ】
0005699313.tif 000030
【図１８Ｂ】
0005699313.tif 000031
【図１９Ａ】
0005699313.tif 000032
【図１９Ｂ】
0005699313.tif 000033
【図２０Ａ】
0005699313.tif 000034
【図２０Ｂ】
0005699313.tif 000035
【図２１Ａ】
0005699313.tif 000036
【図２１Ｂ】
0005699313.tif 000037
【図１５】
0005699313.tif 000038
【図１８Ａ】
0005699313.tif 000039